(57)【要約】【課題】無線圏外ゾーン経由で移動先の無線基地局への移動中のゾーン環境下で同無線端末への着信要求が発生した場合でも適正な着信処理を確保する。【解決手段】無線端末２を無線収容する無線基地局３を収容接続するＰＢＸ５を備え、ＰＢＸは、無線端末からの位置登録要求を無線基地局経由で受信した場合、同無線基地局を同無線端末の位置情報として登録管理する端末位置情報管理テーブル１２Ｂ手段を備えたＰＢＸ無線システム１であって、無線端末は、位置登録中の無線基地局の受信レベルが所定閾値以下の場合、削除要求を同無線基地局に通知する削除要求通知部２９を有し、無線基地局は、移動中通知モードを設定中に、無線端末から削除要求を受信した場合、移動中通知をＰＢＸに通知する情報通知部３５を有し、ＰＢＸは、無線基地局側から移動中通知を受信した場合、管理中の同無線端末の位置情報に“移動中”を登録管理する。【選択図】図１
2009038698.tif 000002
【特許請求の範囲】
【請求項１】
無線端末と、この無線端末を無線収容する無線基地局と、この無線基地局を収容接続する制御装置とを備え、この制御装置は、前記無線端末からの位置登録要求を前記無線基地局経由で受信した場合、同無線基地局を同無線端末の位置情報として登録管理する位置情報管理手段を備えた無線システムであって、
前記無線端末は、
位置登録中の無線基地局の受信レベルが所定閾値以下の場合、削除要求を同無線基地局に通知する削除要求通知手段を有し、
前記無線基地局は、
少なくとも移動中通知モードを運用モードとして設定する運用モード設定手段と、この運用モード設定手段にて前記移動中通知モードを設定中に、前記無線端末側の削除要求通知手段から前記削除要求を受信した場合、同無線端末による他の無線基地局への移動中を示す移動中通知を、前記制御装置に対して通知する情報通知手段とを有し、
前記制御装置は、
前記無線基地局側の前記情報通知手段から、同無線端末による他の無線基地局への移動中を示す前記移動中通知を受信した場合、前記位置情報管理手段に管理中の同無線端末の位置情報に移動中を登録管理することを特徴とする無線システム。
【請求項２】
前記制御装置は、
前記発信端末から前記無線端末への着信要求が発生した場合、前記位置情報管理手段に管理中の同無線端末の位置情報に基づき、同無線端末の位置情報が移動中の場合、同無線端末に対する着呼を所定時間保持すると共に、この所定時間経過前に、同無線端末の位置登録要求を前記無線基地局経由で受信した場合、同無線基地局経由で同無線端末への着呼を開始することを特徴とする請求項１記載の無線システム。
【請求項３】
前記制御装置は、
前記所定時間経過前に、同無線端末の位置登録要求を前記無線基地局経由で受信しなかった場合、前記発信端末に対して圏外ガイダンスを通知すると共に、同無線端末に対して保持中の着呼を解放することを特徴とする請求項２記載の無線システム。
【請求項４】
前記情報通知手段は、
前記運用モード設定手段にて圏外通知モードを設定中に、前記無線端末側の前記削除要求通知手段から前記削除要求を受信した場合、同無線端末による無線圏外を示す圏外通知を、前記制御装置に対して通知すると共に、
前記制御装置は、
前記無線基地局側の前記情報通知手段から、同無線端末による無線圏外を示す圏外通知を受信した場合、前記位置情報管理手段に管理中の同無線端末の位置情報に無線圏外を登録管理することを特徴とする請求項１，２又は３記載の無線システム。
【請求項５】
前記制御装置は、
発信端末から前記無線端末への着信要求が発生した場合、前記位置情報管理手段に管理中の同無線端末の位置情報に基づき、同無線端末の位置情報が無線圏外の場合、前記発信端末に対して圏外ガイダンスを通知すると共に、同無線端末への着呼を解放することを特徴とする請求項４記載の無線システム。
【請求項６】
前記無線端末側の前記削除要求通知手段は、
位置登録中の無線基地局以外の他の無線基地局の受信レベルが前記所定閾値を超えた場合、前記制御装置に対する前記削除要求の通知を禁止することを特徴とする請求項１，２，３，４又は５記載の無線システム。
【請求項７】
前記制御装置は、
前記無線基地局を収容接続する構内交換機で構成することを特徴とする請求項１，２，３，４，５又は６記載の無線システム。
【請求項８】
前記制御装置は、
前記無線基地局をＩＰネットワーク経由で収容接続する通信サーバで構成することを特徴とする請求項１，２，３，４，５又は６記載の無線システム。
【発明の詳細な説明】
【技術分野】
【０００１】
本発明は、例えばＰＨＳ等の無線端末と、この無線端末を無線収容する無線基地局と、この無線基地局を収容接続する構内交換機（ＰＢＸ）やＳＩＰプロキシサーバ等の制御装置とを備え、この制御装置は、前記無線端末からの位置登録要求を前記無線基地局経由で受信した場合、同無線基地局を同無線端末の位置情報として登録管理する機能を備えたＰＢＸ無線システムやＳＩＰ無線システム等の無線システムに関する。
【背景技術】
【０００２】
従来、このようなＰＢＸ無線システムとしては、無線端末と、無線端末を無線収容する無線基地局と、この無線基地局を収容接続するＰＢＸとを備え、ＰＢＸは、無線端末からの位置登録要求を無線基地局経由で受信した場合、同無線基地局を同無線端末の位置情報として登録管理するシステムであって、ＰＢＸは、例えば発信端末から通話不可（圏外）の無線端末への着信要求が発生した場合、同無線端末への着呼動作を行うことなく、同発信端末に同無線端末の通話不可（圏外）ガイダンスを通知するようにしたものが知られている（例えば特許文献１参照）。
【０００３】
このような特許文献１のＰＢＸ無線システムによれば、発信端末から通話不可の無線端末への着信要求が発生したとしても、同無線端末への着呼動作を行うことなく、同発信端末に対して同無線端末の通話不可ガイダンスを通知するようにしたので、通話不可中である無線端末への不要な着呼動作を回避することができる。
【０００４】
また、無線基地局からの受信レベルが所定閾値以下の場合、又は圏内で電源オフした場合のように、無線端末が無線圏外になる前に、例えばＰＢＸ内の位置情報データベースに対して同無線端末の位置登録を取り消すべく、同無線端末が取消要求を通知し、同位置情報データベースから同無線端末の位置登録を取り消すようにしたシステムが知られている（例えば特許文献２参照）。
【０００５】
このような特許文献２のＰＢＸ無線システムによれば、無線端末が無線圏外になる前に、位置情報データベースに対して取消要求を通知し、同位置情報データベースから同無線端末の位置登録を取り消すことになるため、同無線端末に対して着信要求が発生したとしても、同無線端末の位置登録がないことから、同無線端末への着呼動作を行うことなく、同発信端末に対して同無線端末の通話不可ガイダンスを通知するようにしたので、通話不可中である無線端末への不要な着呼動作を回避することができる。
【特許文献１】特開平５−３１６５６０号公報（要約書及び図２参照）
【特許文献２】特開平１１−６９４２２号公報（要約書及び図１参照）
【発明の開示】
【発明が解決しようとする課題】
【０００６】
しかしながら、上記特許文献１のＰＢＸ無線システムによれば、発信端末から通話不可中である無線端末への着信要求が発生したとしても、同無線端末への着呼動作を行うことなく、同発信端末に対して同無線端末の通話不可ガイダンスを通知するようにしたが、例えば無線圏外ゾーン経由で移動元の無線基地局から移動先の無線基地局への移動中に、例えば５秒程度の短期間、無線圏外ゾーンを通過して無線圏外（通話不可）になるようなソーン環境下でも、同無線端末への着信要求が発生した場合、無条件に通話不可（圏外）中の無線端末への着呼動作を実行しないため、発信端末側では、同無線端末が移動先の無線基地局へ移動した後、同無線端末に対して再度発呼する必要があるため、その操作性があまり良くない。
【０００７】
また、特許文献２のＰＢＸ無線システムによれば、無線端末が無線圏外になる前に、位置情報データベースに対して取消要求を通知し、同位置情報データベースから同無線端末の位置情報を取り消すことになるため、同無線端末に対して着信要求が発生したとしても、同無線端末への着呼動作を行うことなく、発信端末に対して同無線端末の通話不可ガイダンスを通知するようにしたが、例えば無線圏外ゾーン経由で移動元の無線基地局から移動先の無線基地局への移動中に、例えば５秒程度の短期間、無線圏外ゾーンを通過して無線圏外（通話不可）になるようなゾーン環境下でも、同無線端末への着信要求が発生した場合、無条件に通話不可（圏外）中の無線端末への着呼動作を実行しないため、発信端末側では、同無線端末が移動先の無線基地局へ移動した後、同無線端末に対して再度発呼する必要があるため、操作性があまり良くない。
【０００８】
本発明は上記点に鑑みてなされたものであり、その目的とするところは、例えば無線圏外ゾーン経由で移動元の無線基地局から移動先の無線基地局への移動中に、短期間、無線圏外（通話不可）になるゾーン環境下で同無線端末への着信要求が発生した場合でも適正な着信処理を確保し、操作性の向上を図ることができる無線システムを提供することにある。
【課題を解決するための手段】
【０００９】
上記目的を達成するために本発明の無線システムは、無線端末と、この無線端末を無線収容する無線基地局と、この無線基地局を収容接続する制御装置とを備え、この制御装置は、前記無線端末からの位置登録要求を前記無線基地局経由で受信した場合、同無線基地局を同無線端末の位置情報として登録管理する位置情報管理手段を備えた無線システムであって、前記無線端末は、位置登録中の無線基地局の受信レベルが所定閾値以下の場合、削除要求を同無線基地局に通知する削除要求通知手段を有し、前記無線基地局は、少なくとも移動中通知モードを運用モードとして設定する運用モード設定手段と、この運用モード設定手段にて前記移動中通知モードを設定中に、前記無線端末側の削除要求通知手段から前記削除要求を受信した場合、同無線端末による他の無線基地局への移動中を示す移動中通知を、前記制御装置に対して通知する情報通知手段とを有し、前記制御装置は、前記無線基地局側の前記情報通知手段から、同無線端末による他の無線基地局への移動中を示す前記移動中通知を受信した場合、前記位置情報管理手段に管理中の同無線端末の位置情報に移動中を登録管理するようにした。
【発明の効果】
【００１０】
上記のように構成された本発明の無線システムによれば、前記無線端末が、位置登録中の無線基地局の受信レベルが所定閾値以下の場合、削除要求を同無線基地局に通知すると共に、例えば無線圏外ゾーンを経由して移動先の無線基地局へ移動するゾーン環境を示す移動中通知モードを同無線基地局に設定中に、前記削除要求を受信した場合、同移動先の無線基地局への移動中を示す移動中通知を前記制御装置に対して通知し、同制御装置は、移動中通知を受信した場合、位置情報管理手段に管理中の同無線端末の位置情報に移動中を登録管理するようにしたので、制御装置側では、同無線端末の位置情報が移動中の場合、同無線端末が無線圏外ゾーン経由で移動先の無線基地局へ移動中と判断し、この移動中に同無線端末への着信要求が発生した場合でも、従来のように無線条件で同無線端末への着呼を回避するのではなく、同無線端末への着呼を所定時間保持し、所定時間経過前に同無線端末の位置登録要求を受信した場合、同無線端末が圏内復帰したものと判断し、同無線端末への着呼を開始する適正な着信処理を確保して、その操作性の向上を図ることができる。
【発明を実施するための最良の形態】
【００１１】
本願請求項１記載の無線システムは、無線端末と、この無線端末を無線収容する無線基地局と、この無線基地局を収容接続する制御装置とを備え、この制御装置は、前記無線端末からの位置登録要求を前記無線基地局経由で受信した場合、同無線基地局を同無線端末の位置情報として登録管理する位置情報管理手段を備えた無線システムであって、前記無線端末は、位置登録中の無線基地局の受信レベルが所定閾値以下の場合、削除要求を同無線基地局に通知する削除要求通知手段を有し、前記無線基地局は、少なくとも移動中通知モードを運用モードとして設定する運用モード設定手段と、この運用モード設定手段にて前記移動中通知モードを設定中に、前記無線端末側の削除要求通知手段から前記削除要求を受信した場合、同無線端末による他の無線基地局への移動中を示す移動中通知を、前記制御装置に対して通知する情報通知手段とを有し、前記制御装置は、前記無線基地局側の前記情報通知手段から、同無線端末による他の無線基地局への移動中を示す前記移動中通知を受信した場合、前記位置情報管理手段に管理中の同無線端末の位置情報に移動中を登録管理するようにした。
【００１２】
従って、本願請求項１記載の無線システムによれば、前記無線端末が、位置登録中の無線基地局の受信レベルが所定閾値以下の場合、削除要求を同無線基地局に通知すると共に、例えば無線圏外ゾーンを経由して移動先の無線基地局へ移動するゾーン環境を示す移動中通知モードを同無線基地局に設定中に、前記削除要求を受信した場合、同移動先の無線基地局への移動中を示す移動中通知を前記制御装置に対して通知し、同制御装置は、移動中通知を受信した場合、位置情報管理手段に管理中の同無線端末の位置情報に移動中を登録管理するようにしたので、制御装置側では、同無線端末の位置情報が移動中の場合、同無線端末が無線圏外ゾーン経由で移動先の無線基地局へ移動中と判断し、この移動中に同無線端末への着信要求が発生した場合でも、従来のように無線条件で同無線端末への着呼を回避するのではなく、同無線端末への着呼を所定時間保持し、所定時間経過前に同無線端末の位置登録要求を受信した場合、同無線端末が圏内復帰したものと判断し、同無線端末への着呼を開始する適正な着信処理を確保して、その操作性の向上を図ることができる。
【００１３】
また、本願請求項２記載の無線システムは、本願請求項１記載の構成において、前記制御装置は、発信端末から前記無線端末への着信要求が発生した場合、前記位置情報管理手段に管理中の同無線端末の位置情報に基づき、同無線端末の位置情報が移動中の場合、同無線端末に対する着呼を所定時間保持すると共に、この所定時間経過前に、同無線端末の位置登録要求を前記無線基地局経由で受信した場合、同無線基地局経由で同無線端末への着呼を開始するようにした。
【００１４】
従って、本願請求項２記載の無線システムによれば、本願請求項１記載の効果に加えて、前記発信端末から前記無線端末への着信要求が発生した場合、前記位置情報管理手段に管理中の同無線端末の位置情報に基づき、同無線端末の位置情報が移動中の場合、同無線端末に対する着呼を所定時間保持すると共に、この所定時間経過前に、同無線端末の位置登録要求を前記無線基地局経由で受信した、すなわち圏内復帰した場合、同無線基地局経由で同無線端末への着呼を開始するようにしたので、制御装置側では、同無線端末の位置情報が移動中の場合、例えば同無線端末が無線圏外ゾーン経由で移動先の無線基地局へ移動中と判断し、この移動中に同無線端末への着信要求が発生した場合でも、従来のように無線条件で同無線端末への着呼を回避するのではなく、同無線端末への着呼を所定時間保持し、所定時間経過前に同無線端末の位置登録要求を受信した場合、同無線端末が圏内復帰したものと判断し、同無線端末への着呼を開始する適正な着信処理を確保して、その操作性の向上を図ることができる。
【００１５】
また、本願請求項３記載の無線システムは、本願請求項２記載の構成において、前記制御装置は、前記所定時間経過前に、同無線端末の位置登録要求を前記無線基地局経由で受信しなかった場合、前記発信端末に対して圏外ガイダンスを通知すると共に、同無線端末に対して保持中の着呼を解放するようにした。
【００１６】
従って、本願請求項３記載の無線システムによれば、本願請求項２記載の効果に加えて、前記無線端末に対する着呼保持の所定時間経過前に、同無線端末の位置登録要求を前記無線基地局経由で受信しなかった、すなわち圏内復帰がなかった場合、前記発信端末に対して圏外ガイダンスを通知すると共に、同無線端末に対して保持中の着呼を解放するようにしたので、前記制御装置側では、所定時間経過前に圏内復帰がなかったことで、同無線端末が無線圏外と判断し、無線圏外中の無線端末への無駄な着呼を回避することができると共に、同発信端末側では、圏外ガイダンスに基づき、同無線端末の無線圏外を認識することができる。
【００１７】
また、本願請求項４記載の無線システムは、本願請求項１，２又は３記載の構成において、前記情報通知手段は、前記運用モード設定手段にて圏外通知モードを設定中に、前記無線端末側の前記削除要求通知手段から前記削除要求を受信した場合、同無線端末による無線圏外を示す圏外通知を、前記制御装置に対して通知すると共に、前記制御装置は、前記無線基地局側の前記情報通知手段から、同無線端末による無線圏外を示す圏外通知を受信した場合、前記位置情報管理手段に管理中の同無線端末の位置情報に無線圏外を登録管理するようにした。
【００１８】
従って、本願請求項４記載の無線システムによれば、本願請求項１，２又は３記載の効果に加えて、例えば無線圏外へ移動可能なゾーン環境を示す圏外通知モードを無線基地局に設定中に、前記削除要求を受信した場合、同無線端末の無線圏外を示す圏外通知を前記制御装置に対して通知し、同制御装置は、圏外通知を受信した場合、位置情報管理手段に管理中の同無線端末の位置情報に無線圏外を登録管理するようにしたので、制御装置側では、同無線端末の位置情報が無線圏外の場合、同無線端末が無線圏外と判断し、同無線端末への着信要求が発生したとしても、無線圏外中の無線端末への無駄な着呼を回避することができる。
【００１９】
また、本願請求項５記載の無線システムは、本願請求項４記載の構成において、前記制御装置は、発信端末から前記無線端末への着信要求が発生した場合、前記位置情報管理手段に管理中の同無線端末の位置情報に基づき、同無線端末の位置情報が無線圏外の場合、前記発信端末に対して圏外ガイダンスを通知すると共に、同無線端末への着呼を解放するようにした。
【００２０】
従って、本願請求項５記載の無線システムによれば、本願請求項４記載の効果に加えて、発信端末から前記無線端末への着信要求が発生した場合、前記位置情報管理手段に管理中の同無線端末の位置情報に基づき、同無線端末の位置情報が無線圏外の場合、前記発信端末に対して圏外ガイダンスを通知すると共に、同無線端末への着呼を解放するようにしたので、制御装置側では、同無線端末の位置情報が無線圏外の場合、同無線端末が無線圏外と判断し、同移動中に同無線端末への着信要求が発生したとしても、無線圏外中の同無線端末への無駄な着呼を回避することができると共に、発信端末側では、圏外ガイダンスに基づき、同無線端末の無線圏外を認識することができる。
【００２１】
また、本願請求項６記載の無線システムは、本願請求項１，２，３，４又は５記載の構成において、前記無線端末側の前記削除要求通知手段は、位置登録中の無線基地局以外の他の無線基地局の受信レベルが前記所定閾値を超えた場合、前記制御装置に対する前記削除要求の通知を禁止するようにした。
【００２２】
従って、本願請求項６記載の無線システムによれば、本願請求項１，２，３，４又は５記載の効果に加えて、位置登録中の無線基地局以外の他の無線基地局の受信レベルが所定閾値を超えた場合、前記制御装置に対する削除要求の通知を禁止するようにしたので、例えば位置登録中の無線基地局の受信レベルが所定閾値以下であっても、他の無線基地局の受信レベルが所定閾値を超えているにもかかわらず、移動中通知モードの場合、無線圏外ゾーン経由で移動先の無線基地局へ同無線端末が移動中と誤判断、圏外通知モードの場合、また、同無線端末が無線圏外と誤判断してしまうような事態を回避することができる。
【００２３】
また、本願請求項７記載の無線システムは、本願請求項１，２，３，４，５又は６記載の構成において、前記制御装置は、前記無線基地局を収容接続する構内交換機で構成するようにした。
【００２４】
従って、本願請求項７記載の無線システムによれば、本願請求項１，２，３，４，５又は６記載の効果に加えて、構内交換機を使用したＰＢＸ無線システムにも適用可能である。
【００２５】
また、本願請求項８記載の無線システムは、本願請求項１，２，３，４，５又は６記載の構成において、前記制御装置は、前記無線基地局をＩＰネットワーク経由で収容接続する通信サーバで構成するようにした。
【００２６】
従って、本願請求項８記載の無線システムによれば、本願請求項１，２，３，４，５又は６記載の効果に加えて、ＳＩＰプロキシサーバやゲートキーパ等の通信サーバを使用したＳＩＰ無線システムやＨ．３２３無線システムにも適用可能である。
【００２７】
以下、図面に基づいて本発明の実施の形態について説明する。
【００２８】
（実施の形態１）
図１は本発明の無線システムに関わる第１の実施の形態を示すＰＢＸ無線システム内部の概略構成を示すブロック図である。
【００２９】
図１に示すＰＢＸ無線システム１は、例えばＰＨＳ等の無線端末２と、この無線端末２を無線収容する複数台の無線基地局３と、発信端末４と、これら無線基地局３及び発信端末４を収容接続する構内交換機（ＰＢＸ）５とを有し、ＰＢＸ５は、無線基地局３間や、無線基地局３及び発信端末４間の通話路を形成する通話路スイッチ１１と、局データや局プログラム等の各種情報を管理する記憶部１２と、このＰＢＸ５全体を制御する制御部１３とを有している。
【００３０】
無線基地局３は、呼出ゾーンを構成し、同呼出ゾーン内の無線端末２との通信制御を司るものである。
【００３１】
また、ＰＢＸ５側の制御部１３は、複数台の無線端末２の呼出ゾーンで構成する呼出エリアを予め設定し、例えば“Ａ１”、“Ａ２”、“Ａ３”，“Ａ４”，“Ａ５”及び“Ａ６”の無線基地局３の呼出ゾーンで呼出エリアＡを、“Ｂ１”、“Ｂ２”及び“Ｂ３”の無線基地局３の呼出ゾーンで呼出エリアＢを、“Ｃ１”及び“Ｃ２”の無線基地局３で呼出エリアＣを構成するものである。
【００３２】
また、制御部１３は、ＰＢＸ５全体の通信制御を司る通信制御部１４と、記憶部１２を記憶制御する記憶制御部１５とを有し、呼出エリア単位で無線端末２を位置登録管理すると共に、無線端末２に対する着信要求が発生した場合、同無線端末２が位置登録中の呼出エリアに属する無線基地局３経由で同無線端末２へ着呼するものである。
【００３３】
また、ＰＢＸ５側の記憶部１２は、無線基地局３毎に同無線基地局３の運用モードを管理する基地局運用モード管理テーブル１２Ａと、無線端末２毎に同無線端末２の位置情報を管理する端末位置情報管理テーブル１２Ｂと、後述する無線端末２への着呼を保持する着呼保持テーブル１２Ｃとを有している。
【００３４】
図２は呼出エリアＡ及び呼出エリアＢ内部の無線基地局３の呼出ゾーンの配置構成を示す説明図である。
【００３５】
まず、無線基地局３の運用モードは、通常モード、移動中通知モード及び圏外通知モードの３種類である。
【００３６】
通常モードは、図２に示すように、周囲を完全に他の無線基地局３の呼出ゾーンでカバーしたゾーン環境下の“Ａ５”の無線基地局３に設定する運用モードに相当するものである。
【００３７】
圏外通知モードは、図２に示すように、周囲を他の無線基地局３の呼出ゾーンで完全にカバーされておらず、移動に応じて無線圏外になるゾーン環境下の“Ａ１”，“Ａ２”，“Ａ３”、“Ａ４”、“Ｂ２”及び“Ｂ３”の無線基地局３に設定する運用モードに相当するものである。
【００３８】
また、移動中通知モードは、図２に示すように、周囲を他の無線基地局３の呼出ゾーンで完全にカバーはされていないものの、例えばエレベータや階段踊場等の無線圏外ゾーン経由で他の呼出エリア内の移動先の無線基地局３へ移動するゾーン環境下の“Ａ６”及び“Ｂ１”の無線基地局３に設定する運用モードに相当するものである。
【００３９】
図３は基地局運用モード管理テーブル１２Ａのテーブル内容を端的に示す説明図である。
【００４０】
図３に示す基地局運用モード管理テーブル１２Ａは、無線基地局１２１Ａ毎に、通常モード、移動中通知モードや圏外通知モード等の運用モード１２２Ａを登録管理するテーブルであって、例えば“Ａ１”の無線基地局３は圏外通知モード、“Ａ５”の無線基地局３は通常モード、“Ａ６”の無線基地局３は移動中通知モードに設定登録しているものである。
【００４１】
図４は端末位置情報管理テーブル１２Ｂのテーブル内容を端的に示す説明図である。
【００４２】
図４に示す端末位置情報管理テーブル１２Ｂは、無線端末２を識別する端末番号１２１Ｂ毎に、同無線端末２の位置情報１２２Ｂを登録管理するテーブルであって、例えば“１０００”の無線端末２は位置情報として“Ａ６”の無線基地局３を位置登録すると共に、“１００１”の無線端末２は位置情報として“無線圏外”、“１００２”の無線端末２は、位置情報として“移動中”を設定登録するものである。
【００４３】
図５は着呼保持テーブル１２Ｃのテーブル内容を端的に示す説明図である。
【００４４】
図５に示す着呼保持テーブル１２Ｃは、保持中の着呼を識別する着呼番号１２１Ｃ毎に、同保持中着呼の無線端末２を識別する端末番号１２２Ｃを登録管理するテーブルであって、例えば着呼番号“０００１”の保持中の着呼は“１０００”の無線端末２への着呼として登録管理しているものである。
【００４５】
図６は無線端末２内部の概略構成を示すブロック図である。
【００４６】
図６に示す無線端末２は、無線基地局３と無線通信する端末側無線部２１と、無線基地局３の無線信号の受信レベルを測定する受信レベル監視部２２と、相手先との通話に使用する送受話部等の通話部２３と、ダイヤル番号等の各種情報を入力する操作部２４と、様々な情報を表示する表示部２５と、同無線端末２全体を制御する端末側制御部２６とを有している。
【００４７】
端末側制御部２６は、ＰＢＸ５に対して、無線基地局３経由で同無線端末２の位置登録を要求する位置登録要求部２７と、受信レベル監視部２２を通じて位置登録中の無線基地局３の無線信号の受信レベルが所定閾値以下であるか否かを判定する受信レベル判定部２８と、同無線基地局３に対して削除要求を通知する削除要求通知部２９とを有している。
【００４８】
位置登録要求部２７は、例えば同無線端末２の電源投入時や同無線端末２が他の呼出エリアへ進入した場合に、同無線端末２が現在位置する呼出エリア内の無線基地局３経由でＰＢＸ５に対して位置登録を要求するものである。
【００４９】
削除要求通知部２９は、受信レベル判定部２８にて位置登録中の無線基地局３の受信レベルが所定閾値以下、かつ同位置登録中の無線基地局３以外の周辺の無線基地局３の受信レベルが所定閾値以下の場合、同位置登録中の無線基地局３に対して削除要求を通知するものである。
【００５０】
また、削除要求通知部２９は、受信レベル判定部２８にて位置登録中の無線基地局３の受信レベルが所定閾値以下の場合でも、同位置登録中の無線基地局３以外の周辺の無線基地局３の受信レベルが所定閾値を超えた場合には、同位置登録中の無線基地局３への削除要求の通知を禁止するものである。
【００５１】
図７は無線基地局３内部の概略構成を示すブロック図である。
【００５２】
図７に示す無線基地局３は、無線端末２と無線接続する基地局側無線部３１と、ＰＢＸ５との通信インタフェースを司るＰＢＸインタフェース３２と、この無線基地局３全体を制御する基地局側制御部３３とを有し、基地局側制御部３３は、運用モードを設定する運用モード設定部３４と、無線端末２側の削除要求を受信した場合、現在設定中の運用モードに基づき、各種情報をＰＢＸ５に通知する情報通知部３５とを有している。
【００５３】
運用モード設定部３４は、ＰＢＸ５側の基地局運用モード管理テーブル１２Ａのテーブル内容に基づき、通常モード、移動中通知モード及び圏外通知モード等の運用モードを設定するものである。
【００５４】
情報通知部３５は、例えば圏外通知モード中に無線端末２から削除要求を受信した場合、同無線端末２が無線圏外と判断し、圏外通知をＰＢＸ５に通知するものである。
【００５５】
また、情報通知部３５は、例えば移動中通知モード中に無線端末２から削除要求を受信した場合、同無線端末２が無線圏外ゾーン経由で他の呼出エリア内の無線基地局３へ移動中と判断し、移動中通知をＰＢＸ５に通知するものである。尚、情報通知部３５は、例えば通常モード中に無線端末２から削除要求を受信した場合、ＰＢＸ５に対して何等情報を通知しないものとする。
【００５６】
また、ＰＢＸ５側の制御部１３は、通信制御部１４を通じて無線基地局３から無線端末２の位置登録要求に対応するＲＥＧＩＳＴＥＲを受信した場合、記憶制御部１５を通じて、端末位置情報管理テーブル１２Ｂ内の同無線端末２に対応する位置情報を同無線基地局３の位置情報として設定登録するものである。
【００５７】
また、制御部１３は、通信制御部１４を通じて無線基地局３側の情報通知部３５から無線端末２の圏外通知を受信した場合、記憶制御部１５を通じて、端末位置情報管理テーブル１２Ｂ内の同無線端末２に対応する位置情報を“無線圏外”に更新登録するものである。
【００５８】
また、制御部１３は、通信制御部１４を通じて無線基地局３側の情報通知部３５から無線端末２の移動中通知を受信した場合、記憶制御部１５を通じて、端末位置情報管理テーブル１２Ｂ内の同無線端末２に対応する位置情報を“移動中”に更新登録するものである。
【００５９】
また、制御部１３は、端末位置情報管理テーブル１２Ｂ内の無線端末２に対応する位置情報を“移動中”に更新登録すると、例えば５秒の移動中タイマの計時動作を開始し、同移動中タイマがタイムアップするまでに同無線端末２の位置登録要求（ＲＥＧＩＳＴＥＲ）を受信した場合、同無線端末２の位置情報を同無線基地局３に更新登録し、同移動中タイマの計時をクリアすると共に、同無線端末２の位置登録要求（ＲＥＧＩＳＴＥＲ）を受信できなかった場合、同無線端末２の位置情報を“無線圏外”に更新登録するものである。
【００６０】
また、制御部１３は、無線端末２の呼出エリア間の移動中、すなわち移動中タイマの計時中に、発信端末４から無線端末２への着信要求が発生した場合、例えば１２秒の圏外タイマの計時動作を開始し、通信制御部１４を通じて、同無線端末２が移動中である旨を示す移動中ガイダンスを発信端末４に通知すると共に、記憶制御部１５を通じて、同無線端末２への着呼を保持すべく、同無線端末２への着呼を識別する着呼番号に対応付けて同無線端末２の端末番号を着呼保持テーブル１２Ｃに登録管理するものである。
【００６１】
また、制御部１３は、圏外タイマの計時中に、同無線端末２の位置登録要求（ＲＥＧＩＳＴＥＲ）を受信した場合、同位置登録中の無線基地局３経由で同無線端末２への着呼を開始すると共に、同保持中の同無線端末２の着呼を解放すべく、同着呼保持テーブル１２Ｃから同着呼保持中の無線端末２の端末番号を削除するものである。
【００６２】
尚、請求項記載の無線システムはＰＢＸ無線システム１、無線端末は無線端末２、無線基地局は無線基地局３、制御装置はＰＢＸ５、位置情報管理手段は端末位置情報管理テーブル１２Ｂ、削除要求通知手段は受信レベル判定部２８及び削除要求通知部２９、運用モード設定手段は運用モード設定部３４、情報通知手段は情報通知部３５に相当するものである。
【００６３】
次に第１の実施の形態を示すＰＢＸ無線システム１の動作について説明する。図８は移動中通知モード設定中の移動元の無線基地局３から他の呼出エリア内の移動先の無線基地局３への移動中に、同無線端末２への着信要求が発生し、同無線端末２が移動先の無線基地局３で圏内復帰した際の無線端末着呼処理に関わるＰＢＸ無線システム１内部の処理動作を示す動作シーケンス図である。尚、“１０００”の無線端末２が移動先の呼出エリアＡ内の“Ａ６”の無線基地局３から移動先の呼出エリアＢ内の“Ｂ１”の無線基地局３に移動中に、同無線端末２に対して着信要求が発生した場合を想定する。
【００６４】
図８に示す呼出エリアＡ内の“Ａ６”の無線基地局３は、“１０００”の無線端末２側の位置登録要求部２７からの位置登録要求を受信すると（ステップＳ１１）、同無線端末２の位置登録要求（ＲＥＧＩＳＴＥＲ）をＰＢＸ５に通知する（ステップＳ１２）。
【００６５】
ＰＢＸ５は、同無線端末２の位置登録要求（ＲＥＧＩＳＴＥＲ）を受信すると、端末位置情報管理テーブル１２Ｂ内の同“１０００”の無線端末２に対応する位置情報に同“Ａ６”の無線基地局３を登録すべく、同位置情報更新動作を実行する（ステップＳ１３）。
【００６６】
ＰＢＸ５は、位置情報更新動作が終了すると、位置登録完了（ＲＥＬＣＯＭＰ）を同“Ａ６”の無線基地局３に通知する（ステップＳ１４）。
【００６７】
“Ａ６”の無線基地局３は、同位置登録完了（ＲＥＬＣＯＭＰ）を受信すると、同位置登録要求を発信した“１０００”の無線端末２に対して位置登録許可を通知する（ステップＳ１５）。
【００６８】
その後、“１０００”の無線端末２は、受信レベル判定部２８にて同“Ａ６”の無線基地局３の受信レベル及び、同無線基地局３以外の他の無線基地局３の受信レベルが所定閾値以下になった場合（ステップＳ１６）、削除要求通知部２９を通じて削除要求を位置登録中の“Ａ６”の無線基地局３に通知する（ステップＳ１７）。
【００６９】
“Ａ６”の無線基地局３は、“１０００”の無線端末２からの削除要求を受信すると、自分の設定中の運用モードを確認し、同運用モードが移動中通知モードであることから、移動中通知をＰＢＸ５に通知する（ステップＳ１８）。
【００７０】
ＰＢＸ５は、同無線端末２の移動中通知を受信すると、同端末位置情報管理テーブル１２Ｂの無線端末２の端末番号“１０００”に対応した位置情報を“移動中”に登録更新すべく、位置情報更新動作を実行する（ステップＳ１９）。
【００７１】
ＰＢＸ５は、同無線端末２の端末番号“１０００”に対応した位置情報を“移動中”に登録更新する位置情報更新動作を実行すると、移動中タイマの計時動作を開始する（ステップＳ２０）。
【００７２】
その後、移動中タイマの計時中に、発信端末４は、“１０００”の無線端末２への発信操作を検出すると（ステップＳ２１）、同無線端末２への発呼要求をＰＢＸ５に通知する（ステップＳ２２）。
【００７３】
ＰＢＸ５は、発呼要求を受信すると、圏外タイマの計時動作を開始し（ステップＳ２３）、同発呼要求の無線端末２に対応した位置情報を確認し、同無線端末２の位置情報が“移動中”であることから、移動中ガイダンスを発信端末４に通知する（ステップＳ２４）。尚、発信端末４側のユーザは、移動中ガイダンスに基づき、無線端末２が無線圏外ゾーン経由で移動先の無線基地局３に移動中と認識することができる。
【００７４】
さらにＰＢＸ５は、移動中ガイダンス通知後、同着呼保持テーブル１２Ｃ内の同着呼を識別する着呼番号に対応付けて着呼先の無線端末２の端末番号“１０００”を登録することで、同発信端末４から“１０００”の無線端末２への着呼を保持する（ステップＳ２５）。
【００７５】
その後、ステップＳ２０にて計時動作を開始した移動中タイマの計時中に、移動先の“Ｂ１”の無線基地局３は、“１０００”の無線端末２からの位置登録要求を受信した場合（ステップＳ２６）、同無線端末２の位置登録要求（ＲＥＧＩＳＴＥＲ）をＰＢＸ５に通知する（ステップＳ２７）。
【００７６】
ＰＢＸ５は、同位置登録要求（ＲＥＧＩＳＴＥＲ）を受信すると、同“１０００”の無線端末２の移動先の“Ｂ１”の無線基地局３への移動が完了したものと判断し、端末位置情報管理テーブル１２Ｂ内の同無線端末２の端末番号“１０００”に対応する位置情報に同“Ｂ１”の無線基地局３の位置情報を登録更新すべく、位置情報更新動作を実行すると共に（ステップＳ２８）、移動中タイマ及び圏外タイマの計時をクリアし（ステップＳ２９）、同無線端末２の位置登録完了（ＲＥＬＣＯＭＰ）を“Ｂ１”の無線基地局３に通知する（ステップＳ３０）。
【００７７】
“Ｂ１”の無線基地局３は、位置登録完了（ＲＥＬＣＯＭＰ）を受信すると、位置登録許可を同“１０００”の無線端末２に通知する（ステップＳ３１）。
【００７８】
そして、ＰＢＸ５は、ステップＳ３０にて位置登録完了（ＲＥＬＣＯＭＰ）を“Ｂ１”の無線基地局３に通知した後、着呼保持テーブル１２Ｃに管理中の着呼保持中の同“１０００”の無線端末２への着呼を要求する着呼要求を同“Ｂ１”の無線基地局３に通知する（ステップＳ３２）。
【００７９】
“Ｂ１”の無線基地局３は、着呼要求に応じて発信端末４から無線端末２への着呼動作を開始する（ステップＳ３３）。
【００８０】
そして、ＰＢＸ５は、同無線端末２への着呼を開始すると、着呼保持テーブル１２Ｃから着呼保持中の同無線端末２の端末番号“１０００”を削除することで、同保持中の着呼を解放することになる（ステップＳ３４）。
【００８１】
尚、ＰＢＸ５は、“Ｂ１”の無線基地局３経由で発信端末４から無線端末２への着呼を開始した後、同無線端末２の応答を検出すると、同無線端末２及び発信端末４間の通信を確立するものである。
【００８２】
図８に示す無線端末着呼処理によれば、移動中通知モード設定中の無線基地局３から他の呼出エリア内の移動先の無線基地局３への移動中、すなわち移動中タイマの計時中に、同無線端末２への着信要求が発生した場合、同無線端末２への着呼を保持し、同移動中タイマの計時中に移動先の無線基地局３経由で同無線端末２からの位置登録要求を受信した場合、すなわち移動先で圏内復帰した場合、同位置登録の無線基地局３経由で同無線端末２への着呼を開始するようにしたので、ＰＢＸ５側では、同無線端末２の位置情報が移動中の場合、同無線端末２が無線圏外ゾーン経由で他の呼出エリア内の移動先の無線基地局３へ移動中と判断し、この移動中に同無線端末２への着信要求が発生した場合でも、従来のように無線条件で同無線端末２への着呼を回避するのではなく、同無線端末２への着呼を移動中タイマ時間保持し、同移動中タイマ時間経過前に同無線端末２の位置登録要求を受信した場合、同無線端末２が移動先で圏内復帰したものと判断し、同無線端末２への着呼を開始する適正な着信処理を確保して、その操作性の向上を図ることができる。
【００８３】
また、図９は移動中通知モード設定中の無線基地局３から他の呼出エリア内の無線基地局３への移動中に、同無線端末２への着信要求が発生し、同無線端末２が移動元の無線基地局３で圏内復帰した際の無線端末着呼処理に関わるＰＢＸ無線システム１内部の処理動作を示す動作シーケンス図である。
【００８４】
図９に示す呼出エリアＡ内の“Ａ６”の無線基地局３は、“１０００”の無線端末２側の位置登録要求部２７からの位置登録要求を受信すると（ステップＳ４１）、同無線端末２の位置登録要求（ＲＥＧＩＳＴＥＲ）をＰＢＸ５に通知する（ステップＳ４２）。
【００８５】
ＰＢＸ５は、同無線端末２の位置登録要求（ＲＥＧＩＳＴＥＲ）を受信すると、端末位置情報管理テーブル１２Ｂ内の同“１０００”の無線端末２に対応する位置情報に同“Ａ６”の無線基地局３を登録すべく、同位置情報更新動作を実行する（ステップＳ４３）。
【００８６】
ＰＢＸ５は、位置情報更新動作が終了すると、位置登録完了（ＲＥＬＣＯＭＰ）を同“Ａ６”の無線基地局３に通知する（ステップＳ４４）。
【００８７】
“Ａ６”の無線基地局３は、同位置登録完了（ＲＥＬＣＯＭＰ）を受信すると、同位置登録要求を発信した“１０００”の無線端末２に対して位置登録許可を通知する（ステップＳ４５）。
【００８８】
その後、“１０００”の無線端末２は、受信レベル判定部２８にて同“Ａ６”の無線基地局３の受信レベル及び、同無線基地局３以外の他の無線基地局３の受信レベルが所定閾値以下になった場合（ステップＳ４６）、削除要求通知部２９を通じて削除要求を位置登録中の“Ａ６”の無線基地局３に通知する（ステップＳ４７）。
【００８９】
“Ａ６”の無線基地局３は、“１０００”の無線端末２からの削除要求を受信すると、自分の設定中の運用モードを確認し、同運用モードが移動中通知モードであることから、移動中通知をＰＢＸ５に通知する（ステップＳ４８）。
【００９０】
ＰＢＸ５は、同無線端末２の移動中通知を受信すると、同端末位置情報管理テーブル１２Ｂの無線端末２の端末番号“１０００”に対応した位置情報を“移動中”に登録更新すべく、位置情報更新動作を実行する（ステップＳ４９）。
【００９１】
ＰＢＸ５は、同無線端末２の端末番号“１０００”に対応した位置情報を“移動中”に登録更新する位置情報更新動作を実行すると、移動中タイマの計時動作を開始する（ステップＳ５０）。
【００９２】
その後、移動中タイマの計時中に、発信端末４は、“１０００”の無線端末２への発信操作を検出すると（ステップＳ５１）、同無線端末２への発呼要求をＰＢＸ５に通知する（ステップＳ５２）。
【００９３】
ＰＢＸ５は、発呼要求を受信すると、圏外タイマの計時動作を開始し（ステップＳ５３）、同発呼要求の無線端末２に対応した位置情報を確認し、同無線端末２の位置情報が“移動中”であることから、移動中ガイダンスを発信端末４に通知する（ステップＳ５４）。尚、発信端末４側のユーザは、移動中ガイダンスに基づき、無線端末２が無線圏外ゾーン経由で移動先の無線基地局３に移動中と認識することができる。
【００９４】
さらにＰＢＸ５は、移動中ガイダンス通知後、同着呼保持テーブル１２Ｃ内の同着呼を識別する着呼番号に対応付けて着呼先の無線端末２の端末番号“１０００”を登録することで、同発信端末４から“１０００”の無線端末２への着呼を保持することになる（ステップＳ５５）。
【００９５】
その後、ステップＳ５０にて計時動作を開始した移動中タイマの計時中に、移動元の“Ａ６”の無線基地局３は、“１０００”の無線端末２からの位置登録要求を受信した場合（ステップＳ５６）、同無線端末２の位置登録要求（ＲＥＧＩＳＴＥＲ）をＰＢＸ５に通知する（ステップＳ５７）。
【００９６】
ＰＢＸ５は、同位置登録要求（ＲＥＧＩＳＴＥＲ）を受信すると、同“１０００”の無線端末２の移動元の“Ａ６”の無線基地局３への圏内復帰が完了したものと判断し、端末位置情報管理テーブル１２Ｂ内の同無線端末２の端末番号“１０００”に対応する位置情報に同“Ａ６”の無線基地局３の位置情報を登録更新すべく、位置情報更新動作を実行すると共に（ステップＳ５８）、移動中タイマ及び圏外タイマの計時をクリアし（ステップＳ５９）、同無線端末２の位置登録完了（ＲＥＬＣＯＭＰ）を“Ａ６”の無線基地局３に通知する（ステップＳ６０）。
【００９７】
“Ａ６”の無線基地局３は、位置登録完了（ＲＥＬＣＯＭＰ）を受信すると、位置登録許可を同“１０００”の無線端末２に通知する（ステップＳ６１）。
【００９８】
そして、ＰＢＸ５は、ステップＳ６０にて位置登録完了（ＲＥＬＣＯＭＰ）を“Ａ６”の無線基地局３に通知した後、着呼保持テーブル１２Ｃに管理中の着呼保持中の同“１０００”の無線端末２への着呼を要求する着呼要求を同“Ａ６”の無線基地局３に通知する（ステップＳ６２）。
【００９９】
“Ａ６”の無線基地局３は、着呼要求に応じて発信端末４から無線端末２への着呼動作を開始する（ステップＳ６３）。
【０１００】
そして、ＰＢＸ５は、同無線端末２への着呼を開始すると、着呼保持テーブル１２Ｃから着呼保持中の同無線端末２の端末番号“１０００”を削除することで、同保持中の着呼を解放することになる（ステップＳ６４）。
【０１０１】
尚、ＰＢＸ５は、“Ａ６”の無線基地局３経由で発信端末４から無線端末２への着呼を開始した後、同無線端末２の応答を検出すると、同無線端末２及び発信端末４間の通信を確立するものである。
【０１０２】
図９に示す無線端末着呼処理によれば、移動中通知モード設定中の無線基地局３から他の呼出エリア内の移動先の無線基地局３への移動中、すなわち移動中タイマの計時中に、同無線端末２への着信要求が発生した場合、同無線端末２への着呼を保持し、同移動中タイマの計時中に移動元の無線基地局３経由で同無線端末２からの位置登録要求を受信した場合、すなわち圏内復帰した場合、同位置登録の無線基地局３経由で同無線端末２への着呼を開始するようにしたので、ＰＢＸ５側では、同無線端末２の位置情報が移動中の場合、同無線端末２が無線圏外ゾーン経由で移動先の無線基地局３へ移動中と判断し、この移動中に同無線端末２への着信要求が発生した場合でも、従来のように無線条件で同無線端末２への着呼を回避するのではなく、同無線端末２への着呼を移動中タイマ時間保持し、同移動中タイマ時間経過前に同無線端末２の位置登録要求を受信した場合、同無線端末２が圏内復帰したものと判断し、同無線端末２への着呼を開始する適正な着信処理を確保して、どの操作性の向上を図ることができる。
【０１０３】
また、図１０は移動中通知モード設定中の無線基地局３から他の呼出エリア内の無線基地局３への移動中に、同無線端末２への着信要求が発生し、同無線端末２が無線圏外と判断された際の無線端末着呼処理に関わるＰＢＸ無線システム１内部の処理動作を示す動作シーケンス図である。
【０１０４】
図１０に示す呼出エリアＡ内の“Ａ６”の無線基地局３は、“１０００”の無線端末２側の位置登録要求部２７からの位置登録要求を受信すると（ステップＳ７１）、同無線端末２の位置登録要求（ＲＥＧＩＳＴＥＲ）をＰＢＸ５に通知する（ステップＳ７２）。
【０１０５】
ＰＢＸ５は、同無線端末２の位置登録要求（ＲＥＧＩＳＴＥＲ）を受信すると、端末位置情報管理テーブル１２Ｂ内の同“１０００”の無線端末２に対応する位置情報に同“Ａ６”の無線基地局３を登録すべく、同位置情報更新動作を実行する（ステップＳ７３）。
【０１０６】
ＰＢＸ５は、位置情報更新動作が終了すると、位置登録完了（ＲＥＬＣＯＭＰ）を同“Ａ６”の無線基地局３に通知する（ステップＳ７４）。
【０１０７】
“Ａ６”の無線基地局３は、同位置登録完了（ＲＥＬＣＯＭＰ）を受信すると、同位置登録要求を発信した“１０００”の無線端末２に対して位置登録許可を通知する（ステップＳ７５）。
【０１０８】
その後、“１０００”の無線端末２は、受信レベル判定部２８にて同“Ａ６”の無線基地局３の受信レベル及び、同無線基地局３以外の他の無線基地局３の受信レベルが所定閾値以下になった場合（ステップＳ７６）、削除要求通知部２９を通じて削除要求を位置登録中の“Ａ６”の無線基地局３に通知する（ステップＳ７７）。
【０１０９】
“Ａ６”の無線基地局３は、“１０００”の無線端末２からの削除要求を受信すると、自分の設定中の運用モードを確認し、同運用モードが移動中通知モードであることから、移動中通知をＰＢＸ５に通知する（ステップＳ７８）。
【０１１０】
ＰＢＸ５は、同無線端末２の移動中通知を受信すると、同端末位置情報管理テーブル１２Ｂの無線端末２の端末番号“１０００”に対応した位置情報を“移動中”に登録更新すべく、位置情報更新動作を実行する（ステップＳ７９）。
【０１１１】
ＰＢＸ５は、同無線端末２の端末番号“１０００”に対応した位置情報を“移動中”に登録更新する位置情報更新動作を実行すると、移動中タイマの計時動作を開始する（ステップＳ８０）。
【０１１２】
その後、移動中タイマの計時中に、発信端末４は、“１０００”の無線端末２への発信操作を検出すると（ステップＳ８１）、同無線端末２への発呼要求をＰＢＸ５に通知する（ステップＳ８２）。
【０１１３】
ＰＢＸ５は、発呼要求を受信すると、圏外タイマの計時動作を開始し（ステップＳ８３）、同発呼要求の無線端末２に対応した位置情報を確認し、同無線端末２の位置情報が“移動中”であることから、移動中ガイダンスを発信端末４に通知する（ステップＳ８４）。尚、発信端末４側のユーザは、移動中ガイダンスに基づき、無線端末２が無線圏外ゾーン経由で移動先の無線基地局３に移動中と認識することができる。
【０１１４】
さらにＰＢＸ５は、移動中ガイダンス通知後、同着呼保持テーブル１２Ｃ内の同着呼を識別する着呼番号に対応付けて着呼先の無線端末２の端末番号“１０００”を登録することで、同発信端末４から“１０００”の無線端末２への着呼を保持することになる（ステップＳ８５）。
【０１１５】
ＰＢＸ５は、ステップＳ８０にて計時動作を開始した移動中タイマがタイムアップした場合（ステップＳ８６）、移動中タイマがタイムアップするまでに同無線端末２の位置登録要求を受信できなかったものと判断し、圏外ガイダンスを発信端末４に通知する（ステップＳ８７）。尚、発信端末４側のユーザは、圏外ガイダンスに基づき、無線端末２が無線圏外と認識することができる。
【０１１６】
さらにＰＢＸ５は、ステップＳ８３にて計時動作を開始した圏外タイマの計時をクリアし（ステップＳ８８）、端末位置情報管理テーブル１２Ｂ内の同無線端末２の端末番号“１０００”に対応する位置情報を“無線圏外”に登録更新すべく、位置情報更新動作を実行する（ステップＳ８９）。
【０１１７】
ＰＢＸ５は、ステップＳ８９にて位置情報更新動作を実行すると、着呼保持テーブル１２Ｃに着呼保持中の無線端末の端末番号“１０００”を削除することで、同保持中の着呼を解放し（ステップＳ９０）、この処理動作を終了する。
【０１１８】
図１０に示す無線端末着呼処理によれば、移動中通知モード設定中の無線基地局３から他の呼出エリア内の移動先の無線基地局３への移動中、すなわち移動中タイマの計時中に、同無線端末２への着信要求が発生した場合、同無線端末２への着呼を保持し、同移動中タイマの計時中に無線基地局３経由で同無線端末２からの位置登録要求を受信しなかった場合、無線圏外と判断し、同無線端末２の位置情報を“無線圏外”として登録更新すると共に、同無線端末２への着呼保持を解放するようにしたので、ＰＢＸ５側では、同無線端末２の位置情報が無線圏外の場合、同無線端末２が無線圏外と判断し、同無線端末２への着信要求が発生した場合でも、同無線圏外の無線端末２への無駄な着呼を回避することができる。
【０１１９】
また、図１１は移動中通知モード設定中の無線基地局３から他の呼出エリア内の無線基地局３への移動中に、同無線端末２への着信要求が発生し、同無線端末２が圏内復帰する前に発信端末４側の発信キャンセル操作を検出した際の無線端末着呼処理に関わるＰＢＸ無線システム１内部の処理動作を示す動作シーケンス図である。
【０１２０】
図１１に示す呼出エリアＡ内の“Ａ６”の無線基地局３は、“１０００”の無線端末２側の位置登録要求部２７からの位置登録要求を受信すると（ステップＳ１０１）、同無線端末２の位置登録要求（ＲＥＧＩＳＴＥＲ）をＰＢＸ５に通知する（ステップＳ１０２）。
【０１２１】
ＰＢＸ５は、同無線端末２の位置登録要求（ＲＥＧＩＳＴＥＲ）を受信すると、端末位置情報管理テーブル１２Ｂ内の同“１０００”の無線端末２に対応する位置情報に同“Ａ６”の無線基地局３を登録すべく、同位置情報更新動作を実行する（ステップＳ１０３）。
【０１２２】
ＰＢＸ５は、位置情報更新動作が終了すると、位置登録完了（ＲＥＬＣＯＭＰ）を同“Ａ６”の無線基地局３に通知する（ステップＳ１０４）。
【０１２３】
“Ａ６”の無線基地局３は、同位置登録完了（ＲＥＬＣＯＭＰ）を受信すると、同位置登録要求を発信した“１０００”の無線端末２に対して位置登録許可を通知する（ステップＳ１０５）。
【０１２４】
その後、“１０００”の無線端末２は、受信レベル判定部２８にて同“Ａ６”の無線基地局３の受信レベル及び、同無線基地局３以外の他の無線基地局３の受信レベルが所定閾値以下になった場合（ステップＳ１０６）、削除要求通知部２９を通じて削除要求を位置登録中の“Ａ６”の無線基地局３に通知する（ステップＳ１０７）。
【０１２５】
“Ａ６”の無線基地局３は、“１０００”の無線端末２からの削除要求を受信すると、自分の設定中の運用モードを確認し、同運用モードが移動中通知モードであることから、移動中通知をＰＢＸ５に通知する（ステップＳ１０８）。
【０１２６】
ＰＢＸ５は、同無線端末２の移動中通知を受信すると、同端末位置情報管理テーブル１２Ｂの無線端末２の端末番号“１０００”に対応した位置情報を“移動中”に登録更新すべく、位置情報更新動作を実行する（ステップＳ１０９）。
【０１２７】
ＰＢＸ５は、同無線端末２の端末番号“１０００”に対応した位置情報を“移動中”に登録更新する位置情報更新動作を実行すると、移動中タイマの計時動作を開始する（ステップＳ１１０）。
【０１２８】
その後、移動中タイマの計時中に、発信端末４は、“１０００”の無線端末２への発信操作を検出すると（ステップＳ１１１）、同無線端末２への発呼要求をＰＢＸ５に通知する（ステップＳ１１２）。
【０１２９】
ＰＢＸ５は、発呼要求を受信すると、圏外タイマの計時動作を開始し（ステップＳ１１３）、同発呼要求の無線端末２に対応した位置情報を確認し、同無線端末２の位置情報が“移動中”であることから、移動中ガイダンスを発信端末２に通知する（ステップＳ１１４）。尚、発信端末４側のユーザは、移動中ガイダンスに基づき、無線端末２が無線圏外ゾーン経由で移動先の無線基地局３に移動中と認識することができる。
【０１３０】
さらにＰＢＸ５は、移動中ガイダンス通知後、同着呼保持テーブル１２Ｃ内の同着呼を識別する着呼番号に対応付けて着呼先の無線端末２の端末番号“１０００”を登録することで、同発信端末４から“１０００”の無線端末２への着呼を保持することになる（ステップＳ１１５）。
【０１３１】
その後、ステップＳ１１０にて計時動作を開始した移動中タイマの計時中に、発信端末４は、発信キャンセル操作を検出すると（ステップＳ１１６）、発信キャンセル信号をＰＢＸ５に通知する（ステップＳ１１７）。
【０１３２】
ＰＢＸ５は、発信キャンセル信号を受信すると、ステップＳ１１３にて計時中の圏外タイマの計時をクリアし（ステップＳ１１８）、着呼保持テーブル１２Ｃから同着呼保持中の無線端末２の端末番号“１０００”を削除することで、同保持中の着呼を解放する（ステップＳ１１９）。
【０１３３】
さらにＰＢＸ５は、ステップＳ１１０にて計時動作を開始した移動中タイマがタイムアップした場合（ステップＳ１２０）、移動中タイマの計時中に同無線端末２の位置登録要求を受信できなかったものと判断し、端末位置情報管理テーブル１２Ｂ内の“１０００”の無線端末２に対応する位置情報に“無線圏外”を登録更新すべく、同位置情報更新動作を実行することで（ステップＳ１２０Ａ）、この処理動作を終了する。
【０１３４】
図１１に示す無線端末着呼処理によれば、移動中通知モード設定中の無線基地局３から他の呼出エリア内の移動先の無線基地局３への移動中、すなわち移動中タイマの計時中に、同無線端末２への着信要求が発生した場合、同無線端末２への着呼を保持し、同無線端末２が圏内復帰する前に発信端末４側の発信キャンセル操作を検出した場合、同無線端末２への着呼保持を即座に解放するようにしたので、ＰＢＸ５側では、発信端末４側の発信キャンセル操作に応じて保持中の着呼を即座に解放することで、着呼保持に要するシステム側の負担を大幅に軽減することができる。
【０１３５】
また、図１２は圏外通知モード設定中の無線基地局３から圏外への移動中に、同無線端末２への着信要求が発生した際の無線端末着呼処理に関わるＰＢＸ無線システム１内部の処理動作を示す動作シーケンス図である。尚、“１０００”の無線端末２が呼出エリアＡ内の“Ａ２”の無線基地局３から無線圏外に移動中に、同無線端末２に対して着信要求が発生した場合を想定する。
【０１３６】
図１２に示す呼出エリアＡ内の“Ａ２”の無線基地局３は、“１０００”の無線端末２側の位置登録要求部２７からの位置登録要求を受信すると（ステップＳ１２１）、同無線端末２の位置登録要求（ＲＥＧＩＳＴＥＲ）をＰＢＸ５に通知する（ステップＳ１２２）。
【０１３７】
ＰＢＸ５は、同無線端末２の位置登録要求（ＲＥＧＩＳＴＥＲ）を受信すると、端末位置情報管理テーブル１２Ｂ内の同“１０００”の無線端末２に対応する位置情報に同“Ａ２”の無線基地局３を登録すべく、同位置情報更新動作を実行する（ステップＳ１２３）。
【０１３８】
ＰＢＸ５は、位置情報更新動作が終了すると、位置登録完了（ＲＥＬＣＯＭＰ）を同“Ａ２”の無線基地局３に通知する（ステップＳ１２４）。
【０１３９】
“Ａ２”の無線基地局３は、同位置登録完了（ＲＥＬＣＯＭＰ）を受信すると、同位置登録要求を発信した“１０００”の無線端末２に対して位置登録許可を通知する（ステップＳ１２５）。
【０１４０】
その後、“１０００”の無線端末２は、受信レベル判定部２８にて同“Ａ２”の無線基地局３の受信レベル及び、同無線基地局３以外の他の無線基地局３の受信レベルが所定閾値以下になった場合（ステップＳ１２６）、削除要求通知部２９を通じて削除要求を位置登録中の“Ａ２”の無線基地局３に通知する（ステップＳ１２７）。
【０１４１】
“Ａ２”の無線基地局３は、“１０００”の無線端末２からの削除要求を受信すると、自分の設定中の運用モードを確認し、同運用モードが圏外通知モードであることから、圏外通知をＰＢＸ５に通知する（ステップＳ１２８）。
【０１４２】
ＰＢＸ５は、同無線端末２の圏外通知を受信すると、同端末位置情報管理テーブル１２Ｂの無線端末２の端末番号“１０００”に対応した位置情報を“無線圏外”に登録更新すべく、位置情報更新動作を実行する（ステップＳ１２９）。
【０１４３】
その後、発信端末４は、“１０００”の無線端末２への発信操作を検出すると（ステップＳ１３０）、同無線端末２への発呼要求をＰＢＸ５に通知する（ステップＳ１３１）。
【０１４４】
ＰＢＸ５は、発呼要求を受信すると、同発呼要求の無線端末２に対応した位置情報を確認し、同無線端末２の位置情報が“無線圏外”であることから、圏外ガイダンスを発信端末４に通知する（ステップＳ１３２）。尚、発信端末４側のユーザは、圏外ガイダンスに基づき、無線端末２が無線圏外と認識することができる。
【０１４５】
さらにＰＢＸ５は、圏外ガイダンス通知後、同無線端末２への着呼を解放することで（ステップＳ１３３）、この処理動作を終了する。
【０１４６】
図１２に示す無線端末着呼処理によれば、圏外通知モード設定中の無線基地局３から無線圏外への移動中に、同無線端末２への着信要求が発生した場合、同無線端末２の位置情報を無線圏外と登録更新すると共に、同無線端末２への着呼保持を解放するようにしたので、ＰＢＸ５側では、同無線端末２の位置情報が無線圏外の場合、同無線端末２が無線圏外と判断し、同無線端末２への着信要求が発生した場合でも、同無線圏外の無線端末２への無駄な着呼を回避することができる。
【０１４７】
第１の実施の形態によれば、無線端末２が、位置登録中の無線基地局３の受信レベルが所定閾値以下の場合、削除要求を同無線基地局３に通知すると共に、無線圏外ゾーンを経由して移動先の無線基地局３へ移動するゾーン環境を示す移動中通知モードを同無線基地局３に設定中に、削除要求を受信した場合、同移動先の無線基地局３への移動中を示す移動中通知をＰＢＸ５に対して通知し、同ＰＢＸ５は、移動中通知を受信した場合、端末位置情報管理テーブル１２Ｂに管理中の同無線端末２の位置情報に“移動中”を登録管理するようにしたので、ＰＢＸ５側では、同無線端末２の位置情報が移動中の場合、同無線端末２が無線圏外ゾーン経由で移動先の無線基地局３へ移動中と判断し、この移動中に同無線端末２への着信要求が発生した場合でも、従来のように無線条件で同無線端末２への着呼を回避するのではなく、同無線端末２への着呼を移動中タイマ時間保持し、移動中タイマ時間経過前に同無線端末２の位置登録要求を受信した場合、同無線端末２が圏内復帰したものと判断し、同無線端末２への着呼を開始する適正な着信処理を確保して、その操作性の向上を図ることができる。
【０１４８】
また、第１の実施の形態によれば、発信端末４から無線端末２への着信要求が発生した場合、端末位置情報管理テーブル１２Ｂに管理中の同無線端末２の位置情報に基づき、同無線端末２の位置情報が“移動中”の場合、同無線端末２に対する着呼を移動中タイマ時間保持すると共に、この移動中タイマ時間経過前に、同無線端末２の位置登録要求を無線基地局３経由で受信した、すなわち圏内復帰した場合、同無線基地局３経由で同無線端末２への着呼を開始するようにしたので、ＰＢＸ５側では、同無線端末２の位置情報が移動中の場合、同無線端末２が無線圏外ゾーン経由で移動先の無線基地局３へ移動中と判断し、この移動中に同無線端末２への着信要求が発生した場合でも、従来のように無線条件で同無線端末２への着呼を回避するのではなく、同無線端末２への着呼を移動中タイマ時間保持し、移動中タイマ時間経過前に同無線端末２の位置登録要求を受信した場合、同無線端末２が圏内復帰したものと判断し、同無線端末２への着呼を開始する適正な着信処理を確保して、その操作性の向上を図ることができる。
【０１４９】
また、第１の実施の形態によれば、無線端末２に対する着呼保持の移動中タイマ時間経過前に、同無線端末２の位置登録要求を無線基地局３経由で受信しなかった、すなわち圏内復帰がなかった場合、発信端末４に対して圏外ガイダンスを通知すると共に、同無線端末２に対して保持中の着呼を解放するようにしたので、ＰＢＸ５側では、移動中タイマ時間経過前に圏内復帰がなかったことで、同無線端末２が無線圏外と判断し、無線圏外中の無線端末２への無駄な着呼を回避することができると共に、同発信端末４側では、圏外ガイダンスに基づき、同無線端末２の無線圏外を認識することができる。
【０１５０】
また、第１の実施の形態によれば、無線圏外へ移動可能なゾーン環境を示す圏外通知モードを無線基地局３に設定中に、削除要求を受信した場合、同無線端末２の無線圏外を示す圏外通知をＰＢＸ５に対して通知し、同ＰＢＸ５は、圏外通知を受信した場合、端末位置情報管理テーブル１２Ｂに管理中の同無線端末２の位置情報に“無線圏外”を登録管理するようにしたので、ＰＢＸ５側では、同無線端末２の位置情報が無線圏外の場合、同無線端末２が無線圏外と判断し、同無線端末２への着信要求が発生したとしても、無線圏外中の無線端末２への無駄な着呼を回避することができる。
【０１５１】
第１の実施の形態によれば、発信端末４から無線端末２への着信要求が発生した場合、端末位置情報管理テーブル１２Ｂに管理中の同無線端末２の位置情報に基づき、同無線端末２の位置情報が無線圏外の場合、発信端末４に対して圏外ガイダンスを通知すると共に、同無線端末２への着呼を解放するようにしたので、ＰＢＸ５側では、同無線端末２の位置情報が無線圏外の場合、同無線端末２が無線圏外と判断し、同移動中に同無線端末２への着信要求が発生したとしても、無線圏外中の同無線端末２への無駄な着呼を回避することができると共に、発信端末４側では、圏外ガイダンスに基づき、同無線端末２の無線圏外を認識することができる。
【０１５２】
また、第１の実施の形態によれば、位置登録中の無線基地局３以外の他の無線基地局３の受信レベルが所定閾値を超えた場合、ＰＢＸ５に対する削除要求の通知を禁止するようにしたので、例えば位置登録中の無線基地局３の受信レベルが所定閾値以下であっても、他の無線基地局３の受信レベルが所定閾値を超えているにもかかわらず、移動中通知モードの場合、無線圏外ゾーン経由で移動先の無線基地局３へ同無線端末２が移動中と誤判断、また、圏外通知モードの場合、同無線端末２が無線圏外と誤判断してしまうような事態を回避することができる。
【０１５３】
尚、上記第１の実施の形態においては、ＰＢＸ５を使用したＰＢＸ無線システム１を例に挙げて説明したが、例えばＳＩＰプロトコルのＳＩＰプロキシサーバを使用したＳＩＰ無線システムについても適用可能であることから、同ＳＩＰ無線システムにつき、第２の実施の形態として説明する。
【０１５４】
（実施の形態２）
図１３は第２の実施の形態を示すＳＩＰ無線システム内部の概略構成を示すブロック図である。尚、第１の実施の形態を示すＰＢＸ無線システム１と同一の構成については同一符号を付すことで、その重複する構成及び動作の説明については省略する。
【０１５５】
図１３に示すＳＩＰ無線システム１Ａは、無線端末２と、この無線端末２を無線収容する複数台の無線基地局３Ａと、これら無線基地局３Ａを収容接続すると共に、ＩＰネットワーク６との通信インタフェース機能を備えた基地局ゲートウェイ７と、無線端末２を無線収容すると共に、ＩＰネットワーク６との通信インタフェース機能を備えたＩＰ無線基地局３Ｂと、ＩＰネットワーク６との通信インタフェース機能を備えた発信端末４Ａと、これら基地局ゲートウェイ７、ＩＰ無線基地局３Ｂ及び発信端末４ＡをＩＰアドレスで管理すると共に、ＩＰネットワーク６との通信インタフェース機能を備えたＳＩＰプロキシサーバ８とを有し、ＳＩＰプロキシサーバ８は、基地局ゲートウェイ７、ＩＰ無線基地局３Ｂや発信端末４ＡのＩＰアドレス等の各種情報を管理するサーバ側記憶部４１と、基地局ゲートウェイ７、ＩＰ無線基地局３Ｂや発信端末４ＡのＳＩＰプロトコルに関わるＳＩＰプロキシサーバ８全体を制御するサーバ側制御部４２とを有している。
【０１５６】
無線基地局３Ａ及びＩＰ無線基地局３Ｂは、呼出ゾーンを構成し、同呼出ゾーン内の無線端末２との通信制御を司るものである。尚、無線基地局３Ａは、ＩＰネットワーク６に接続するための通信インタフェースを備えていないため、基地局ゲートウェイ７を通じてＩＰネットワーク６に接続するものである。
【０１５７】
また、ＳＩＰプロキシサーバ８のサーバ側制御部４２は、複数台の無線端末２の呼出ゾーンで構成する呼出エリアを予め設定し、例えば“Ａ１”、“Ａ２”、“Ａ３”，“Ａ４”，“Ａ５”及び“Ａ６”の無線基地局３Ａの呼出ゾーンで呼出エリアＡを、“Ｂ１”、“Ｂ２”及び“Ｂ３”の無線基地局３Ａの呼出ゾーンで呼出エリアＢを、“Ｃ１”及び“Ｃ２”のＩＰ無線基地局３Ｂで呼出エリアＣを構成するものである。
【０１５８】
また、サーバ側制御部４２は、ＳＩＰプロキシサーバ８全体の通信制御を司る通信制御部４４と、サーバ側記憶部４１を記憶制御する記憶制御部４５とを有し、呼出エリア単位で無線端末２を位置登録管理すると共に、無線端末２に対する着信要求が発生した場合、同無線端末２が位置登録中の呼出エリアに属する無線基地局３Ａ（ＩＰ無線基地局３Ｂ）経由で同無線端末２へ着呼するものである。
【０１５９】
また、ＳＩＰプロキシサーバ８側のサーバ側記憶部４１は、無線基地局３Ａ（ＩＰ無線基地局３Ｂ）毎に同無線基地局３Ａ（ＩＰ無線基地局３Ｂ）の運用モードを管理する基地局運用モード管理テーブル４１Ａと、無線端末２毎に同無線端末２の位置情報を管理する端末位置情報管理テーブル４１Ｂと、無線端末２への着呼を保持する着呼保持テーブル４１Ｃとを有している。
【０１６０】
尚、無線基地局３Ａ及びＩＰ無線基地局３Ｂの運用モードは、通常モード、移動中通知モード及び圏外通知モードの３種類である。
【０１６１】
図１４は無線基地局３Ａ内部の概略構成を示すブロック図である。
【０１６２】
図１４に示す無線基地局３Ａは、無線端末２と無線接続する基地局側無線部５１と、基地局ゲートウェイ７との通信インタフェースを司るゲートウェイインタフェース５２と、この無線基地局３Ａ全体を制御する基地局側制御部５３とを有し、基地局側制御部５３は、運用モードを設定する運用モード設定部５４と、無線端末２側の削除要求を受信した場合、現在設定中の運用モードに基づき、各種情報をＳＩＰプロキシサーバ８に通知する情報通知部５５とを有している。尚、図１４は無線基地局３Ａ内部の概略構成を示すブロック図であるが、ＩＰ無線基地局３Ｂ内部についてもほぼ同一の内部構成であって、ゲートウェイインタフェース５２の代わりにＩＰネットワーク６との通信インタフェースを司るＩＰインタフェースを備えたものである。
【０１６３】
運用モード設定部５４は、ＳＩＰプロキシサーバ８側の基地局運用モード管理テーブル４１Ａのテーブル内容に基づき、通常モード、移動中通知モード及び圏外通知モード等の運用モードを設定するものである。
【０１６４】
情報通知部５５は、例えば圏外通知モード中に無線端末２から削除要求を受信した場合、同無線端末２が無線圏外と判断し、圏外通知をＳＩＰプロキシサーバ８に通知するものである。
【０１６５】
また、情報通知部５５は、例えば移動中通知モード中に無線端末２から削除要求を受信した場合、同無線端末２が無線圏外ゾーン経由で他の呼出エリア内の無線基地局３Ａ（ＩＰ無線基地局３Ｂ）へ移動中と判断し、移動中通知をＳＩＰプロキシサーバ８に通知するものである。尚、情報通知部５５は、例えば通常モード中に無線端末２から削除要求を受信した場合は、ＳＩＰプロキシサーバ８に対して何等情報を通知しないものとする。
【０１６６】
また、ＳＩＰプロキシサーバ８側のサーバ側制御部４２は、通信制御部４４を通じて無線基地局３Ａ（ＩＰ無線基地局３Ｂ）から無線端末２の位置登録要求に対応する位置登録要求（ＲＥＧＩＳＴＥＲ）を受信した場合、記憶制御部４５を通じて、端末位置情報管理テーブル４１Ｂ内の同無線端末２に対応する位置情報を同無線基地局３Ａ（ＩＰ無線基地局３Ｂ）の位置情報に設定登録するものである。
【０１６７】
また、サーバ側制御部４２は、通信制御部４４を通じて無線基地局３Ａ（ＩＰ無線基地局３Ｂ）側の情報通知部５５から無線端末２の圏外通知を受信した場合、記憶制御部４５を通じて、端末位置情報管理テーブル４１Ｂ内の同無線端末２に対応する位置情報を“無線圏外”に更新登録するものである。
【０１６８】
また、サーバ側制御部４２は、通信制御部４４を通じて無線基地局３Ａ（ＩＰ無線基地局３Ｂ）側の情報通知部５５から無線端末２の移動中通知を受信した場合、記憶制御部４５を通じて、端末位置情報管理テーブル４１Ｂ内の同無線端末２に対応する位置情報を“移動中”に更新登録するものである。
【０１６９】
また、サーバ側制御部４２は、端末位置情報管理テーブル４１Ｂ内の無線端末２に対応する位置情報を“移動中”に更新登録すると、例えば５秒の移動中タイマの計時動作を開始し、同移動中タイマがタイムアップするまでに同無線端末２の位置登録要求（ＲＥＧＩＳＴＥＲ）を受信した場合、同無線端末２の位置情報を同無線基地局３Ａ（ＩＰ無線基地局）に更新登録し、同移動中タイマの計時をクリアすると共に、移動中タイマ時間内に同無線端末２の位置登録要求（ＲＥＧＩＳＴＥＲ）を受信できなかった場合、同無線端末２の位置情報を“無線圏外”に更新登録するものである。
【０１７０】
また、サーバ側制御部４２は、無線端末２の呼出エリア間の移動中、すなわち移動中タイマの計時中に、例えば発信端末４Ａから無線端末２への着信要求が発生した場合、例えば１２秒の圏外タイマの計時動作を開始し、通信制御部４４を通じて、同無線端末２が移動中である旨を示す移動中メッセージを発信端末４に通知すると共に、記憶制御部４５を通じて、同無線端末２への着呼を保持すべく、同無線端末２への着呼を識別する着呼番号に対応付けて同無線端末２の端末番号を着呼保持テーブル４１Ｃに登録管理するものである。
【０１７１】
また、サーバ側制御部４２は、圏外タイマの計時中に、同無線端末２の位置登録要求（ＲＥＧＩＳＴＥＲ）を受信した場合、同位置登録中の無線基地局３Ａ（ＩＰ無線基地局３Ｂ）経由で同無線端末２への着呼を開始すると共に、同保持中の同無線端末２の着呼を解放すべく、同着呼保持テーブル４１Ｃから同着呼保持中の無線端末２の端末番号を削除するものである。
【０１７２】
尚、請求項記載の無線システムはＳＩＰ無線システム１Ａ、無線端末は無線端末２、無線基地局は無線基地局３Ａ及びＩＰ無線基地局３Ｂ、制御装置はＳＩＰプロキシサーバ８、位置情報管理手段は端末位置情報管理テーブル４１Ｂ、削除要求通知手段は受信レベル判定部２８及び削除要求通知部２９、運用モード設定手段は運用モード設定部５４、情報通知手段は情報通知部５５に相当するものである。
【０１７３】
次に第２の実施の形態を示すＳＩＰ無線システム１Ａの動作について説明する。図１５は移動中通知モード設定中の無線基地局３Ａ（ＩＰ無線基地局３Ｂ）から他の呼出エリア内の移動先の無線基地局３Ａ（ＩＰ無線基地局３Ｂ）への移動中に、同無線端末２への着信要求が発生し、同無線端末２が移動先の無線基地局３Ａで圏内復帰した際の無線端末着呼処理に関わるＳＩＰ無線システム１Ａ内部の処理動作を示す動作シーケンス図である。尚、“１０００”の無線端末２が移動元の呼出エリアＡ内の“Ａ６”の無線基地局３Ａから移動先の呼出エリアＢ内の“Ｂ１”の無線基地局３Ａへ移動中に、同無線端末２に対して着信要求が発生した場合を想定する。
【０１７４】
図１５に示す呼出エリアＡ内の“Ａ６”の無線基地局３Ａは、“１０００”の無線端末２側の位置登録要求部２７からの位置登録要求を受信すると（ステップＳ２１１）、同無線端末２の位置登録要求（ＲＥＧＩＳＴＥＲ）をＳＩＰプロキシサーバ８に通知する（ステップＳ２１２）。
【０１７５】
ＳＩＰプロキシサーバ８は、同無線端末２の位置登録要求（ＲＥＧＩＳＴＥＲ）を受信すると、端末位置情報管理テーブル４１Ｂ内の同“１０００”の無線端末２に対応する位置情報に同“Ａ６”の無線基地局３Ａを登録すべく、同位置情報更新動作を実行する（ステップＳ２１３）。
【０１７６】
ＳＩＰプロキシサーバ８は、位置情報更新動作が終了すると、位置登録完了（２００ＯＫ）を同“Ａ６”の無線基地局３Ａに通知する（ステップＳ２１４）。
【０１７７】
“Ａ６”の無線基地局３Ａは、同位置登録完了（２００ＯＫ）を受信すると、同位置登録要求を発信した“１０００”の無線端末２に対して位置登録許可を通知する（ステップＳ２１５）。
【０１７８】
その後、“１０００”の無線端末２は、受信レベル判定部２８にて同“Ａ６”の無線基地局３Ａの受信レベル及び、同無線基地局３Ａ以外の他の無線基地局３Ａ（ＩＰ無線基地局３Ｂ）の受信レベルが所定閾値以下になった場合（ステップＳ２１６）、削除要求通知部２９を通じて削除要求を位置登録中の“Ａ６”の無線基地局３Ａに通知する（ステップＳ１７）。
【０１７９】
“Ａ６”の無線基地局３Ａは、“１０００”の無線端末２からの削除要求を受信すると、自分の設定中の運用モードを確認し、同運用モードが移動中通知モードであることから、移動中通知をＳＩＰプロキシサーバ８に通知する（ステップＳ２１８）。
【０１８０】
ＳＩＰプロキシサーバ８は、同無線端末２の移動中通知を受信すると、同端末位置情報管理テーブル４１Ｂの無線端末２の端末番号“１０００”に対応した位置情報を“移動中”に登録更新すべく、位置情報更新動作を実行する（ステップＳ２１９）。
【０１８１】
ＳＩＰプロキシサーバ８は、同無線端末２の端末番号“１０００”に対応した位置情報を“移動中”に登録更新する位置情報更新動作を実行すると、移動中タイマの計時動作を開始する（ステップＳ２２０）。
【０１８２】
その後、移動中タイマの計時中に、発信端末４Ａは、“１０００”の無線端末２への発信操作を検出すると（ステップＳ２２１）、同無線端末２への発呼要求（ＩＮＶＩＴＥ）をＳＩＰプロキシサーバ８に通知する（ステップＳ２２２）。
【０１８３】
ＳＩＰプロキシサーバ８は、発呼要求（ＩＮＶＩＴＥ）を受信すると、呼出中（１００Ｔｒｙｉｎｇ）を発信端末４Ａに通知すると共に（ステップＳ２２３）、圏外タイマの計時動作を開始し（ステップＳ２２４）、同発呼要求（ＩＮＶＩＴＥ）の無線端末２に対応した位置情報を確認し、同無線端末２の位置情報が“移動中”であることから、移動中通知を発信端末４Ａに通知する（ステップＳ２２５）。発信端末４Ａは、移動中通知に基づき、移動中ガイダンスを出力し（ステップＳ２２５Ａ）、発信端末４Ａ側のユーザは、無線端末２が無線圏外ゾーン経由で移動先の無線基地局３Ａに移動中と認識することができる。
【０１８４】
さらにＳＩＰプロキシサーバ８は、移動中通知後、同着呼保持テーブル４１Ｃ内の同着呼を識別する着呼番号に対応付けて着呼先の無線端末２の端末番号“１０００”を登録することで、同発信端末４Ａから“１０００”の無線端末２への着呼を保持する（ステップＳ２２６）。
【０１８５】
その後、ステップＳ２２０にて計時動作を開始した移動中タイマの計時中に、移動先の“Ｂ１”の無線基地局３Ａは、“１０００”の無線端末２からの位置登録要求を受信した場合（ステップＳ２２７）、同無線端末２の位置登録要求（ＲＥＧＩＳＴＥＲ）をＳＩＰプロキシサーバ８に通知する（ステップＳ２２８）。
【０１８６】
ＳＩＰプロキシサーバ８は、同位置登録要求（ＲＥＧＩＳＴＥＲ）を受信すると、同“１０００”の無線端末２の移動先の“Ｂ１”の無線基地局３Ａへの移動が完了したものと判断し、端末位置情報管理テーブル４１Ｂ内の同無線端末２の端末番号“１０００”に対応する位置情報に同“Ｂ１”の無線基地局３Ａの位置情報を登録更新すべく、位置情報更新動作を実行すると共に（ステップＳ２２９）、移動中タイマ及び圏外タイマの計時をクリアし（ステップＳ２３０）、同無線端末２の位置登録完了（２００ＯＫ）を“Ｂ１”の無線基地局３Ａに通知する（ステップＳ２３１）。
【０１８７】
“Ｂ１”の無線基地局３は、位置登録完了（２００ＯＫ）を受信すると、位置登録許可を同“１０００”の無線端末２に通知する（ステップＳ２３２）。
【０１８８】
そして、ＳＩＰプロキシサーバ８は、ステップＳ２３１にて位置登録完了（２００ＯＫ）を“Ｂ１”の無線基地局３Ａに通知した後、着呼保持テーブル４１Ｃに管理中の着呼保持中の同“１０００”の無線端末２への着呼を要求する着呼要求（ＩＮＶＩＴＥ）を同“Ｂ１”の無線基地局３Ａに通知する（ステップＳ２３３）。
【０１８９】
“Ｂ１”の無線基地局３Ａは、着呼要求（ＩＮＶＩＴＥ）に応じて発信端末４から無線端末２への着呼動作を開始する（ステップＳ２３４）。
【０１９０】
そして、ＳＩＰプロキシサーバ８は、同無線端末２への着呼を開始すると、着呼保持テーブル４１Ｃから同着呼保持中の無線端末２の端末番号“１０００”を削除することで、同保持中の着呼を解放することになる（ステップＳ２３５）。
【０１９１】
尚、ＳＩＰプロキシサーバ８は、“Ｂ１”の無線基地局３Ａ経由で発信端末４Ａから無線端末２への着呼を開始した後、同無線端末２の応答を検出すると、同無線端末２及び発信端末４Ａ間の通信を確立するものである。
【０１９２】
図１５に示す無線端末着呼処理によれば、移動中通知モード設定中の無線基地局３Ａ（ＩＰ無線基地局３Ｂ）から他の呼出エリア内の移動先の無線基地局３Ａ（ＩＰ無線基地局３Ｂ）への移動中、すなわち移動中タイマの計時中に、同無線端末２への着信要求が発生した場合、同無線端末２への着呼を保持し、同移動中タイマの計時中に移動先の無線基地局３Ａ（ＩＰ無線基地局３Ｂ）経由で同無線端末２からの位置登録要求を受信した場合、すなわち移動先で圏内復帰した場合、同位置登録の無線基地局３Ａ（ＩＰ無線基地局３Ｂ）経由で同無線端末２への着呼を開始するようにしたので、ＳＩＰプロキシサーバ８側では、同無線端末２の位置情報が移動中の場合、同無線端末２が無線圏外ゾーン経由で移動先の無線基地局３Ａ（ＩＰ無線基地局３Ｂ）へ移動中と判断し、この移動中に同無線端末２への着信要求が発生した場合でも、従来のように無線条件で同無線端末２への着呼を回避するのではなく、同無線端末２への着呼を移動中タイマ時間保持し、同移動中タイマ時間経過前に同無線端末２の位置登録要求を受信した場合、同無線端末２が移動先で圏内復帰したものと判断し、同無線端末２への着呼を開始する適正な着信処理を確保して、その操作性の向上を図ることができる。
【０１９３】
また、図１６は移動中通知モード設定中の無線基地局３Ａ（ＩＰ無線基地局３Ｂ）から他の呼出エリア内の無線基地局３Ａ（ＩＰ無線基地局３Ｂ）への移動中に、同無線端末２への着信要求が発生し、同無線端末２が移動元の無線基地局３Ａ（ＩＰ無線基地局３Ｂ）で圏内復帰した際の無線端末着呼処理に関わるＳＩＰ無線システム１Ａ内部の処理動作を示す動作シーケンス図である。
【０１９４】
図１６に示す呼出エリアＡ内の“Ａ６”の無線基地局３Ａは、“１０００”の無線端末２側の位置登録要求部２７からの位置登録要求を受信すると（ステップＳ２４１）、同無線端末２の位置登録要求（ＲＥＧＩＳＴＥＲ）をＳＩＰプロキシサーバ８に通知する（ステップＳ２４２）。
【０１９５】
ＳＩＰプロキシサーバ８は、同無線端末２の位置登録要求（ＲＥＧＩＳＴＥＲ）を受信すると、端末位置情報管理テーブル４１Ｂ内の同“１０００”の無線端末２に対応する位置情報に同“Ａ６”の無線基地局３Ａを登録すべく、同位置情報更新動作を実行する（ステップＳ２４３）。
【０１９６】
ＳＩＰプロキシサーバ８は、位置情報更新動作が終了すると、位置登録完了（２００ＯＫ）を同“Ａ６”の無線基地局３Ａに通知する（ステップＳ２４４）。
【０１９７】
“Ａ６”の無線基地局３Ａは、同位置登録完了（２００ＯＫ）を受信すると、同位置登録要求を発信した“１０００”の無線端末２に対して位置登録許可を通知する（ステップＳ２４５）。
【０１９８】
その後、“１０００”の無線端末２は、受信レベル判定部２８にて同“Ａ６”の無線基地局３Ａの受信レベル及び、同無線基地局３Ａ以外の他の無線基地局３Ａ（ＩＰ無線基地局３Ｂ）の受信レベルが所定閾値以下になった場合（ステップＳ２４６）、削除要求通知部２９を通じて削除要求を位置登録中の“Ａ６”の無線基地局３Ａに通知する（ステップＳ２４７）。
【０１９９】
“Ａ６”の無線基地局３Ａは、“１０００”の無線端末２からの削除要求を受信すると、自分の設定中の運用モードを確認し、同運用モードが移動中通知モードであることから、移動中通知をＳＩＰプロキシサーバ８に通知する（ステップＳ２４８）。
【０２００】
ＳＩＰプロキシサーバ８は、同無線端末２の移動中通知を受信すると、同端末位置情報管理テーブル４１Ｂの無線端末２の端末番号“１０００”に対応した位置情報を“移動中”に登録更新すべく、位置情報更新動作を実行する（ステップＳ２４９）。
【０２０１】
ＳＩＰプロキシサーバ８は、同無線端末２の端末番号“１０００”に対応した位置情報を“移動中”に登録更新する位置情報更新動作を実行すると、移動中タイマの計時動作を開始する（ステップＳ２５０）。
【０２０２】
その後、移動中タイマの計時中に、発信端末４Ａは、“１０００”の無線端末２への発信操作を検出すると（ステップＳ２５１）、同無線端末２への発呼要求（ＩＮＶＩＴＥ）をＳＩＰプロキシサーバ８に通知する（ステップＳ２５２）。
【０２０３】
ＳＩＰプロキシサーバ８は、発呼要求（ＩＮＶＩＴＥ）を受信すると、呼出中（１００Ｔｒｙｉｎｇ）を発信端末４Ａに通知すると共に（ステップＳ２５３）、圏外タイマの計時動作を開始し（ステップＳ２５４）、同発呼要求（ＩＮＶＩＴＥ）の無線端末２に対応した位置情報を確認し、同無線端末２の位置情報が“移動中”であることから、移動中通知を発信端末４Ａに通知する（ステップＳ２５５）。発信端末４Ａは、移動中通知に基づき、移動中ガイダンスを出力し（ステップＳ２５５Ａ）、発信端末４Ａ側のユーザは、無線端末２が無線圏外ゾーン経由で移動先の無線基地局３に移動中と認識することができる。
【０２０４】
さらにＳＩＰプロキシサーバ８は、移動中通知後、同着呼保持テーブル４１Ｃ内の同着呼を識別する着呼番号に対応付けて着呼先の無線端末２の端末番号“１０００”を登録することで、同発信端末４Ａから“１０００”の無線端末２への着呼を保持する（ステップＳ２５６）。
【０２０５】
その後、ステップＳ２５０にて計時動作を開始した移動中タイマの計時中に、移動元の“Ａ６”の無線基地局３Ａは、“１０００”の無線端末２からの位置登録要求を受信した場合（ステップＳ２５７）、同無線端末２の位置登録要求（ＲＥＧＩＳＴＥＲ）をＳＩＰプロキシサーバ８に通知する（ステップＳ２５８）。
【０２０６】
ＳＩＰプロキシサーバ８は、同位置登録要求（ＲＥＧＩＳＴＥＲ）を受信すると、同“１０００”の無線端末２の移動元の“Ａ６”の無線基地局３Ａへの圏内復帰が完了したものと判断し、端末位置情報管理テーブル４１Ｂ内の同無線端末２の端末番号“１０００”に対応する位置情報に同“Ａ６”の無線基地局３Ａの位置情報を登録更新すべく、位置情報更新動作を実行すると共に（ステップＳ２５９）、移動中タイマ及び圏外タイマの計時をクリアし（ステップＳ２６０）、同無線端末２の位置登録完了（２００ＯＫ）を“Ａ６”の無線基地局３Ａに通知する（ステップＳ２６１）。
【０２０７】
“Ａ６”の無線基地局３Ａは、位置登録完了（２００ＯＫ）を受信すると、位置登録許可を同“１０００”の無線端末２に通知する（ステップＳ２６２）。
【０２０８】
そして、ＳＩＰプロキシサーバ８は、ステップＳ２６１にて位置登録完了（２００ＯＫ）を“Ａ６”の無線基地局３Ａに通知した後、着呼保持テーブル４１Ｃに管理中の着呼保持中の同“１０００”の無線端末２への着呼を要求する着呼要求（ＩＮＶＩＴＥ）を同“Ａ６”の無線基地局３Ａに通知する（ステップＳ２６３）。
【０２０９】
“Ａ６”の無線基地局３Ａは、着呼要求（ＩＮＶＩＴＥ）に応じて発信端末４Ａから無線端末２への着呼動作を開始する（ステップＳ２６４）。
【０２１０】
そして、ＳＩＰプロキシサーバ８は、同無線端末２への着呼を開始すると、着呼保持テーブル４１Ｃから同着呼保持中の無線端末２の端末番号“１０００”を削除することで、同保持中の着呼を解放することになる（ステップＳ２６５）。
【０２１１】
尚、ＳＩＰプロキシサーバ８は、“Ａ６”の無線基地局３Ａ経由で発信端末４Ａから無線端末２への着呼を開始した後、同無線端末２の応答を検出すると、同無線端末２及び発信端末４Ａ間の通信を確立するものである。
【０２１２】
図１６に示す無線端末着呼処理によれば、移動中通知モード設定中の無線基地局３Ａ（ＩＰ無線基地局３Ｂ）から他の呼出エリア内の移動先の無線基地局３Ａ（ＩＰ無線基地局３Ｂ）への移動中、すなわち移動中タイマの計時中に、同無線端末２への着信要求が発生した場合、同無線端末２への着呼を保持し、同移動中タイマの計時中に移動元の無線基地局３Ａ（ＩＰ無線基地局３Ｂ）経由で同無線端末２からの位置登録要求を受信した場合、すなわち移動元で圏内復帰した場合、同位置登録の無線基地局３Ａ（ＩＰ無線基地局３Ｂ）経由で同無線端末２への着呼を開始するようにしたので、ＳＩＰプロキシサーバ８側では、同無線端末２の位置情報が移動中の場合、同無線端末２が無線圏外ゾーン経由で移動先の無線基地局３Ａ（ＩＰ無線基地局３Ｂ）へ移動中と判断し、移動中に同無線端末２への着信要求が発生した場合でも、従来のように無線条件で同無線端末２への着呼を回避するのではなく、同無線端末２への着呼を移動中タイマ時間保持し、同移動中タイマ時間経過前に同無線端末２の位置登録要求を受信した場合、同無線端末２が移動元で圏内復帰したものと判断し、同無線端末２への着呼を開始する適正な着信処理を確保して、どの操作性の向上を図ることができる。
【０２１３】
また、図１７は移動中通知モード設定中の無線基地局３Ａ（ＩＰ無線基地局３Ｂ）から他の呼出エリア内の無線基地局３Ａ（ＩＰ無線基地局３Ｂ）への移動中に、同無線端末２への着信要求が発生し、同無線端末２が無線圏外と判定された際の無線端末着呼処理に関わるＳＩＰ無線システム１Ａ内部の処理動作を示す動作シーケンス図である。
【０２１４】
図１７に示す呼出エリアＡ内の“Ａ６”の無線基地局３Ａは、“１０００”の無線端末２側の位置登録要求部２７からの位置登録要求を受信すると（ステップＳ２７１）、同無線端末２の位置登録要求（ＲＥＧＩＳＴＥＲ）をＳＩＰプロキシサーバ８に通知する（ステップＳ２７２）。
【０２１５】
ＳＩＰプロキシサーバ８は、同無線端末２の位置登録要求（２００ＯＫ）を受信すると、端末位置情報管理テーブル１２Ｂ内の同“１０００”の無線端末２に対応する位置情報に同“Ａ６”の無線基地局３Ａを登録すべく、同位置情報更新動作を実行する（ステップＳ２７３）。
【０２１６】
ＳＩＰプロキシサーバ８は、位置情報更新動作が終了すると、位置登録完了（２００ＯＫ）を同“Ａ６”の無線基地局３Ａに通知する（ステップＳ２７４）。
【０２１７】
“Ａ６”の無線基地局３Ａは、同位置登録完了（ＲＥＬＣＯＭＰ）を受信すると、同位置登録要求を発信した“１０００”の無線端末２に対して位置登録許可を通知する（ステップＳ２７５）。
【０２１８】
その後、“１０００”の無線端末２は、受信レベル判定部２８にて同“Ａ６”の無線基地局３Ａの受信レベル及び、同無線基地局３Ａ以外の他の無線基地局３Ａ（ＩＰ無線基地局３Ｂ）の受信レベルが所定閾値以下になった場合（ステップＳ２７６）、削除要求通知部２９を通じて削除要求を位置登録中の“Ａ６”の無線基地局３Ａに通知する（ステップＳ２７７）。
【０２１９】
“Ａ６”の無線基地局３Ａは、“１０００”の無線端末２からの削除要求を受信すると、自分の設定中の運用モードを確認し、同運用モードが移動中通知モードであることから、移動中通知をＳＩＰプロキシサーバ８に通知する（ステップＳ２７８）。
【０２２０】
ＳＩＰプロキシサーバ８は、同無線端末２の移動中通知を受信すると、同端末位置情報管理テーブル４１Ｂの無線端末２の端末番号“１０００”に対応した位置情報を“移動中”に登録更新すべく、位置情報更新動作を実行する（ステップＳ２７９）。
【０２２１】
ＳＩＰプロキシサーバ８は、同無線端末２の端末番号“１０００”に対応した位置情報を“移動中”に登録更新する位置情報更新動作を実行すると、移動中タイマの計時動作を開始する（ステップＳ２８０）。
【０２２２】
その後、移動中タイマの計時中に、発信端末４Ａは、“１０００”の無線端末２への発信操作を検出すると（ステップＳ２８１）、同無線端末２への発呼要求（ＩＮＶＩＴＥ）をＳＩＰプロキシサーバ８に通知する（ステップＳ２８２）。
【０２２３】
ＳＩＰプロキシサーバ８は、発呼要求（ＩＮＶＩＴＥ）を受信すると、呼出中（１００Ｔｒｙｉｎｇ）を発信端末４Ａに通知すると共に（ステップＳ２８３）、圏外タイマの計時動作を開始し（ステップＳ２８４）、同発呼要求（ＩＮＶＩＴＥ）の無線端末２に対応した位置情報を確認し、同無線端末２の位置情報が“移動中”であることから、移動中通知を発信端末４Ａに通知する（ステップＳ２８５）。発信端末４Ａは、移動中通知に基づき、移動中ガイダンスを出力し（ステップＳ２８５Ａ）、発信端末４Ａ側のユーザは、無線端末２が無線圏外ゾーン経由で移動先の無線基地局３に移動中と認識することができる。
【０２２４】
さらにＳＩＰプロキシサーバ８は、移動中通知後、同着呼保持テーブル４１Ｃ内の同着呼を識別する着呼番号に対応付けて着呼先の無線端末２の端末番号“１０００”を登録することで、同発信端末４Ａから“１０００”の無線端末２への着呼を保持する（ステップＳ２８６）。
【０２２５】
ＳＩＰプロキシサーバ８は、ステップＳ２８０にて計時動作を開始した移動中タイマがタイムアップした場合（ステップＳ２８７）、移動中タイマがタイムアップするまでに同無線端末２の位置登録要求を受信できなかったものと判断し、圏外通知（４８０Ｔｅｍｐｏｒａｒｉｌｙ  Ｕｎａｖａｉｌａｂｌｅ）を発信端末４Ａに通知する（ステップＳ２８８）。発信端末４Ａは、圏外通知（４８０Ｔｅｍｐｏｒａｒｉｌｙ  Ｕｎａｖａｉｌａｂｌｅ）に基づき、圏外ガイダンスを出力し（ステップＳ２８８Ａ）、発信端末４Ａ側のユーザは、同無線端末２が無線圏外と認識することができる。
【０２２６】
さらにＳＩＰプロキシサーバ８は、ステップＳ２８４にて計時動作を開始した圏外タイマの計時をクリアし（ステップＳ２８９）、端末位置情報管理テーブル４１Ｂ内の同無線端末２の端末番号“１０００”に対応する位置情報を“無線圏外”に登録更新すべく、位置情報更新動作を実行する（ステップＳ２９０）。
【０２２７】
ＳＩＰプロキシサーバ８は、ステップＳ２９０にて位置情報更新動作を実行すると、着呼保持テーブル４１Ｃに着呼保持中の無線端末２の端末番号“１０００”を削除することで、同保持中の着呼を解放し（ステップＳ２９１）、この処理動作を終了する。
【０２２８】
図１７に示す無線端末着呼処理によれば、移動中通知モード設定中の無線基地局３Ａ（ＩＰ無線基地局３Ｂ）から他の呼出エリア内の移動先の無線基地局３Ａ（ＩＰ無線基地局３Ｂ）への移動中、すなわち移動中タイマの計時中に、同無線端末２への着信要求が発生した場合、同無線端末２への着呼を保持し、同移動中タイマの計時中に無線基地局３Ａ（ＩＰ無線基地局３Ｂ）経由で同無線端末２からの位置登録要求を受信しなかった場合、無線圏外と判断し、同無線端末２の位置情報を“無線圏外”として登録更新すると共に、同無線端末２への着呼保持を解放するようにしたので、ＳＩＰプロキシサーバ８側では、同無線端末２の位置情報が無線圏外の場合、同無線端末２が無線圏外に移動と判断し、同無線端末２への着信要求が発生した場合でも、同無線圏外の無線端末２への無駄な着呼を回避することができる。
【０２２９】
また、図１８は移動中通知モード設定中の無線基地局３Ａ（ＩＰ無線基地局３Ｂ）から他の呼出エリア内の無線基地局３Ａ（ＩＰ無線基地局３Ｂ）への移動中に、同無線端末２への着信要求が発生し、同無線端末２が圏内復帰する前に発信端末４Ａ側の発信キャンセル操作を検出した際の無線端末着呼処理に関わるＳＩＰ無線システム１Ａ内部の処理動作を示す動作シーケンス図である。
【０２３０】
図１８に示す呼出エリアＡ内の“Ａ６”の無線基地局３Ａは、“１０００”の無線端末２側の位置登録要求部２７からの位置登録要求を受信すると（ステップＳ３０１）、同無線端末２の位置登録要求（ＲＥＧＩＳＴＥＲ）をＳＩＰプロキシサーバ８に通知する（ステップＳ３０２）。
【０２３１】
ＳＩＰプロキシサーバ８は、同無線端末２の位置登録要求（ＲＥＧＩＳＴＥＲ）を受信すると、端末位置情報管理テーブル４１Ｂ内の同“１０００”の無線端末２に対応する位置情報に同“Ａ６”の無線基地局３Ａを登録すべく、同位置情報更新動作を実行する（ステップＳ３０３）。
【０２３２】
ＳＩＰプロキシサーバ８は、位置情報更新動作が終了すると、位置登録完了（２００ＯＫ）を同“Ａ６”の無線基地局３Ａに通知する（ステップＳ３０４）。
【０２３３】
“Ａ６”の無線基地局３Ａは、同位置登録完了（２００ＯＫ）を受信すると、同位置登録要求を発信した“１０００”の無線端末２に対して位置登録許可を通知する（ステップＳ３０５）。
【０２３４】
その後、“１０００”の無線端末２は、受信レベル判定部２８にて同“Ａ６”の無線基地局３Ａの受信レベル及び、同無線基地局３Ａ以外の他の無線基地局３Ａ（ＩＰ無線基地局３Ｂ）の受信レベルが所定閾値以下になった場合（ステップＳ３０６）、削除要求通知部２９を通じて削除要求を位置登録中の“Ａ６”の無線基地局３Ａに通知する（ステップＳ３０７）。
【０２３５】
“Ａ６”の無線基地局３Ａは、“１０００”の無線端末２からの削除要求を受信すると、自分の設定中の運用モードを確認し、同運用モードが移動中通知モードであることから、移動中通知をＳＩＰプロキシサーバ８に通知する（ステップＳ３０８）。
【０２３６】
ＳＩＰプロキシサーバ８は、同無線端末２の移動中通知を受信すると、同端末位置情報管理テーブル４１Ｂの無線端末２の端末番号“１０００”に対応した位置情報を“移動中”に登録更新すべく、位置情報更新動作を実行する（ステップＳ３０９）。
【０２３７】
ＳＩＰプロキシサーバ８は、同無線端末２の端末番号“１０００”に対応した位置情報を“移動中”に登録更新する位置情報更新動作を実行すると、移動中タイマの計時動作を開始する（ステップＳ３１０）。
【０２３８】
その後、移動中タイマの計時中に、発信端末４Ａは、“１０００”の無線端末２への発信操作を検出すると（ステップＳ３１１）、同無線端末２への発呼要求（ＩＮＶＩＴＥ）をＳＩＰプロキシサーバ８に通知する（ステップＳ３１２）。
【０２３９】
ＳＩＰプロキシサーバ８は、発呼要求（ＩＮＶＩＴＥ）を受信すると、呼出中（１００Ｔｒｙｉｎｇ）を発信端末４Ａに通知すると共に（ステップＳ３１３）、圏外タイマの計時動作を開始し（ステップＳ３１４）、同発呼要求の無線端末２に対応した位置情報を確認し、同無線端末２の位置情報が“移動中”であることから、移動中通知を発信端末４Ａに通知する（ステップＳ３１５）。発信端末４Ａは、移動中通知に基づき、移動中ガイダンスを出力し（ステップＳ３１５Ａ）、発信端末４Ａ側のユーザは、無線端末２が無線圏外ゾーン経由で移動先の無線基地局３に移動中と認識することができる。
【０２４０】
さらにＳＩＰプロキシサーバ８は、移動中通知後、同着呼保持テーブル４１Ｃ内の同着呼を識別する着呼番号に対応付けて着呼先の無線端末２の端末番号“１０００”を登録することで、同発信端末４Ａから“１０００”の無線端末２への着呼を保持する（ステップＳ３１６）。
【０２４１】
その後、ステップＳ３１０にて計時動作を開始した移動中タイマの計時中に、発信端末４Ａは、発信キャンセル操作を検出すると（ステップＳ３１７）、発信キャンセル信号（ＣＡＮＣＥＬ）をＳＩＰプロキシサーバ８に通知する（ステップＳ３１８）。
【０２４２】
ＳＩＰプロキシサーバ８は、発信キャンセル信号（ＣＡＮＣＥＬ）を受信すると、ステップＳ３１４にて計時中の圏外タイマの計時をクリアし（ステップＳ３１９）、着呼保持テーブル４１Ｃに着呼保持中の同無線端末２の端末番号“１０００”を削除することで、同保持中の着呼を解放する（ステップＳ３２０）。
【０２４３】
さらにＳＩＰプロキシサーバ８は、ステップＳ３１０にて計時動作を開始した移動中タイマがタイムアップした場合（ステップＳ３２１）、移動中タイマの計時中に同無線端末２の位置登録要求を受信できなかったものと判断し、端末位置情報管理テーブル４１Ｂ内の“１０００”の無線端末２に対応する位置情報に“無線圏外”を登録更新すべく、同位置情報更新動作を実行することで（ステップＳ３２２）、この処理動作を終了する。
【０２４４】
図１８に示す無線端末着呼処理によれば、移動中通知モード設定中の無線基地局３Ａ（ＩＰ無線基地局３Ｂ）から他の呼出エリア内の移動先の無線基地局３Ａ（ＩＰ無線基地局３Ｂ）への移動中、すなわち移動中タイマの計時中に、同無線端末２への着信要求が発生した場合、同無線端末２への着呼を保持し、同無線端末２が圏内復帰する前に発信端末４Ａ側の発信キャンセル操作を検出した場合、同無線端末２への着呼保持を即座に解放するようにしたので、ＳＩＰプロキシサーバ８側では、発信端末４Ａ側の発信キャンセル操作に応じて保持中の着呼を即座に解放することで、着呼保持に要するシステム側の負担を大幅に軽減することができる。
【０２４５】
また、図１９は圏外通知モード設定中の無線基地局３Ａ（ＩＰ無線基地局３Ｂ）から圏外への移動中に、同無線端末２への着信要求が発生した際の無線端末着呼処理に関わるＳＩＰ無線システム１Ａ内部の処理動作を示す動作シーケンス図である。尚、“１０００”の無線端末２が呼出エリアＡ内の“Ａ２”の無線基地局３Ａ（ＩＰ無線基地局３Ｂ）から無線圏外に移動中に、同無線端末２に対して着信要求が発生した場合を想定する。
【０２４６】
図１９に示す呼出エリアＡ内の“Ａ２”の無線基地局３Ａは、“１０００”の無線端末２側の位置登録要求部２７からの位置登録要求を受信すると（ステップＳ３３１）、同無線端末２の位置登録要求（ＲＥＧＩＳＴＥＲ）をＳＩＰプロキシサーバ８に通知する（ステップＳ３３２）。
【０２４７】
ＳＩＰプロキシサーバ８は、同無線端末２の位置登録要求（ＲＥＧＩＳＴＥＲ）を受信すると、端末位置情報管理テーブル４１Ｂ内の同“１０００”の無線端末２に対応する位置情報に同“Ａ２”の無線基地局３Ａを登録すべく、同位置情報更新動作を実行する（ステップＳ３３３）。
【０２４８】
ＳＩＰプロキシサーバ８は、位置情報更新動作が終了すると、位置登録完了（２００ＯＫ）を同“Ａ２”の無線基地局３Ａに通知する（ステップＳ３３４）。
【０２４９】
“Ａ２”の無線基地局３Ａは、同位置登録完了（２００ＯＫ）を受信すると、同位置登録要求を発信した“１０００”の無線端末２に対して位置登録許可を通知する（ステップＳ３３５）。
【０２５０】
その後、“１０００”の無線端末２は、受信レベル判定部２８にて同“Ａ２”の無線基地局３Ａの受信レベル及び、同無線基地局３Ａ以外の他の無線基地局３Ａ（ＩＰ無線基地局３Ｂ）の受信レベルが所定閾値以下になった場合（ステップＳ３３６）、削除要求通知部２９を通じて削除要求を位置登録中の“Ａ２”の無線基地局３Ａに通知する（ステップＳ３３７）。
【０２５１】
“Ａ２”の無線基地局３Ａは、“１０００”の無線端末２からの削除要求を受信すると、自分の設定中の運用モードを確認し、同運用モードが圏外通知モードであることから、圏外通知をＳＩＰプロキシサーバ８に通知する（ステップＳ３３８）。
【０２５２】
ＳＩＰプロキシサーバ８は、同無線端末２の圏外通知を受信すると、同端末位置情報管理テーブル４１Ｂの無線端末２の端末番号“１０００”に対応した位置情報を“無線圏外”に登録更新すべく、位置情報更新動作を実行する（ステップＳ３３９）。
【０２５３】
その後、発信端末４Ａは、“１０００”の無線端末２への発信操作を検出すると（ステップＳ３４０）、同無線端末２への発呼要求をＳＩＰプロキシサーバ８に通知する（ステップＳ３４１）。
【０２５４】
ＳＩＰプロキシサーバ８は、発呼要求を受信すると、呼出中（１００Ｔｒｙｉｎｇ）を発信端末４Ａに通知すると共に（ステップＳ３４２）、同発呼要求の無線端末２に対応した位置情報を確認し、同無線端末２の位置情報が“無線圏外”であることから、圏外通知（４８０Ｔｅｍｐｏｒａｒｉｌｙ  Ｕｎａｖａｉｌａｂｌｅ）を発信端末４Ａに通知する（ステップＳ３４３）。発信端末４Ａは、圏外通知（４８０Ｔｅｍｐｏｒａｒｉｌｙ  Ｕｎａｖａｉｌａｂｌｅ）に基づき、圏外ガイダンスを出力し（ステップＳ３４３Ａ）、発信端末４Ａ側のユーザは、無線端末２が無線圏外と認識することができる。
【０２５５】
さらにＳＩＰプロキシサーバ８は、圏外通知後、同無線端末２への着呼を解放することで（ステップＳ３４４）、この処理動作を終了する。
【０２５６】
図１９に示す無線端末着呼処理によれば、圏外通知モード設定中の無線基地局３Ａ（ＩＰ無線基地局３Ｂ）から無線圏外への移動中に、同無線端末２への着信要求が発生した場合、同無線端末２の位置情報を無線圏外と登録更新すると共に、同無線端末２への着呼保持を解放するようにしたので、ＳＩＰプロキシサーバ８側では、同無線端末２の位置情報が無線圏外の場合、同無線端末２が無線圏外と判断し、同無線端末２への着信要求が発生した場合でも、同無線圏外の無線端末２への無駄な着呼を回避することができる。
【０２５７】
第２の実施の形態によれば、無線端末２が、位置登録中の無線基地局３Ａ（ＩＰ無線基地局３Ｂ）の受信レベルが所定閾値以下の場合、削除要求を同無線基地局３Ａ（ＩＰ無線基地局３Ｂ）に通知すると共に、無線圏外ゾーンを経由して移動先の無線基地局３Ａ（ＩＰ無線基地局３Ｂ）へ移動するゾーン環境を示す移動中通知モードを同無線基地局３Ａ（ＩＰ無線基地局３Ｂ）に設定中に、削除要求を受信した場合、同移動先の無線基地局３Ａ（ＩＰ無線基地局３Ｂ）への移動中を示す移動中通知をＳＩＰプロキシサーバ８に対して通知し、同ＳＩＰプロキシサーバ８は、移動中通知を受信した場合、端末位置情報管理テーブル４１Ｂに管理中の同無線端末２の位置情報に“移動中”を登録管理するようにしたので、ＳＩＰプロキシサーバ８側では、同無線端末２の位置情報が移動中の場合、同無線端末２が無線圏外ゾーン経由で移動先の無線基地局３Ａ（ＩＰ無線基地局３Ｂ）へ移動中と判断し、この移動中に同無線端末２への着信要求が発生した場合でも、従来のように無線条件で同無線端末２への着呼を回避するのではなく、同無線端末２への着呼を移動中タイマ時間保持し、移動中タイマ時間経過前に同無線端末２の位置登録要求を受信した場合、同無線端末２が圏内復帰したものと判断し、同無線端末２への着呼を開始する適正な着信処理を確保して、その操作性の向上を図ることができる。
【０２５８】
また、第２の実施の形態によれば、発信端末４から無線端末２への着信要求が発生した場合、端末位置情報管理テーブル４１Ｂに管理中の同無線端末２の位置情報に基づき、同無線端末２の位置情報が“移動中”の場合、同無線端末２に対する着呼を移動中タイマ時間保持すると共に、この移動中タイマ時間経過前に、同無線端末２の位置登録要求を無線基地局３Ａ（ＩＰ無線基地局３Ｂ）経由で受信した、すなわち圏内復帰した場合、同無線基地局３Ａ（ＩＰ無線基地局３Ｂ）経由で同無線端末２への着呼を開始するようにしたので、ＳＩＰプロキシサーバ８側では、同無線端末２の位置情報が移動中の場合、同無線端末２が無線圏外ゾーン経由で移動先の無線基地局３Ａ（ＩＰ無線基地局３Ｂ）へ移動中と判断し、この移動中に同無線端末２への着信要求が発生した場合でも、従来のように無線条件で同無線端末２への着呼を回避するのではなく、同無線端末２への着呼を移動中タイマ時間保持し、移動中タイマ時間経過前に同無線端末２の位置登録要求を受信した場合、同無線端末２が圏内復帰したものと判断し、同無線端末２への着呼を開始する適正な着信処理を確保して、その操作性の向上を図ることができる。
【０２５９】
また、第２の実施の形態によれば、無線端末２に対する着呼保持の移動中タイマ時間経過前に、同無線端末２の位置登録要求を無線基地局３Ａ（ＩＰ無線基地局３Ｂ）経由で受信しなかった、すなわち圏内復帰がなかった場合、発信端末４Ａに対して圏外通知を通知すると共に、同無線端末２に対して保持中の着呼を解放するようにしたので、ＳＩＰプロキシサーバ８側では、移動中タイマ時間経過前に圏内復帰がなかったことで、同無線端末２が無線圏外と判断し、無線圏外中の無線端末２への無駄な着呼を回避することができると共に、同発信端末４Ａ側では、圏外ガイダンスに基づき、同無線端末２の無線圏外を認識することができる。
【０２６０】
また、第２の実施の形態によれば、無線圏外へ移動可能なゾーン環境を示す圏外通知モードを無線基地局３Ａ（ＩＰ無線基地局３Ｂ）に設定中に、削除要求を受信した場合、同無線端末２の無線圏外を示す圏外通知をＰＢＸ５に対して通知し、同ＳＩＰプロキシサーバ８は、圏外通知を受信した場合、端末位置情報管理テーブル４１Ｂに管理中の同無線端末２の位置情報に“無線圏外”を登録管理するようにしたので、ＳＩＰプロキシサーバ８側では、同無線端末２の位置情報が無線圏外の場合、同無線端末２が無線圏外と判断し、同無線端末２への着信要求が発生したとしても、無線圏外中の無線端末２への無駄な着呼を回避することができる。
【０２６１】
第２の実施の形態によれば、発信端末４Ａから無線端末２への着信要求が発生した場合、端末位置情報管理テーブル４１Ｂに管理中の同無線端末２の位置情報に基づき、同無線端末２の位置情報が無線圏外の場合、発信端末４Ａに対して圏外通知を通知すると共に、同無線端末２への着呼を解放するようにしたので、ＳＩＰプロキシサーバ８側では、同無線端末２の位置情報が無線圏外の場合、同無線端末２が無線圏外と判断し、同移動中に同無線端末２への着信要求が発生したとしても、無線圏外中の同無線端末２への無駄な着呼を回避することができると共に、発信端末４側では、圏外ガイダンスに基づき、同無線端末２の無線圏外を認識することができる。
【０２６２】
また、第２の実施の形態によれば、位置登録中の無線基地局３Ａ（ＩＰ無線基地局３Ｂ）以外の他の無線基地局３Ａ（ＩＰ無線基地局３Ｂ）の受信レベルが所定閾値を超えた場合、ＳＩＰプロキシサーバ８に対する削除要求の通知を禁止するようにしたので、例えば位置登録中の無線基地局３Ａ（ＩＰ無線基地局３Ｂ）の受信レベルが所定閾値以下であっても、他の無線基地局３Ａ（ＩＰ無線基地局３Ｂ）の受信レベルが所定閾値を超えているにもかかわらず、移動中通知モードの場合、無線圏外ゾーン経由で移動先の無線基地局３Ａ（ＩＰ無線基地局３Ｂ）へ同無線端末２が移動中と誤判断、また、圏外通知モードの場合、同無線端末２が無線圏外と誤判断してしまうような事態を回避することができる。
【０２６３】
尚、上記第２の実施の形態においては、ＳＩＰプロキシサーバ８で呼制御を司るＳＩＰ無線システム１Ａを例に挙げて説明したが、ゲートキーパで呼制御を司るＨ．３２３無線システムにおいても同様の効果が得られることは言うまでもない。
【産業上の利用可能性】
【０２６４】
上記のように構成された本発明の無線システムによれば、同無線端末の位置情報が移動中の場合、同無線端末が無線圏外ゾーン経由で移動先の無線基地局へ移動中と判断し、この移動中に同無線端末への着信要求が発生した場合でも、従来のように無線条件で同無線端末への着呼を回避するのではなく、同無線端末への着呼を所定時間保持し、この所定時間経過前に同無線端末の位置登録要求を受信した場合、同無線端末が圏内復帰したものと判断し、同無線端末への着呼を開始する適正な着信処理を確保して、その操作性の向上を図ることができる、例えばＰＢＸ無線システム、ＳＩＰ無線システム又はＨ．３２３無線システム等に有用である。
【図面の簡単な説明】
【０２６５】
【図１】本発明の無線システムに関わる第１の実施の形態を示すＰＢＸ無線システム内部の概略構成を示すブロック図
【図２】第１の実施の形態を示すＰＢＸ無線システム内部の呼出エリアＡ及び呼出エリアＢの無線基地局の呼出ゾーンの配置構成を端的に示す説明図
【図３】第１の実施の形態に関わる基地局運用モード管理テーブルのテーブル内容を端的に示す説明図
【図４】第１の実施の形態に関わる端末位置情報管理テーブルのテーブル内容を端的に示す説明図
【図５】第１の実施の形態に関わる着呼保持テーブルのテーブル内容を端的に示す説明図
【図６】第１の実施の形態に関わる無線端末内部の概略構成を示すブロック図
【図７】第１の実施の形態に関わる無線基地局内部の概略構成を示すブロック図
【図８】第１の実施の形態に関わる移動中通知モード設定中の無線基地局からの他の呼出エリア内の移動先の無線基地局への移動中に、同無線端末への着信要求が発生し、同無線端末が移動先の無線基地局で圏内復帰した際の無線端末着呼処理に関わるＰＢＸ無線システム内部の処理動作を示す動作シーケンス図
【図９】第１の実施の形態に関わる移動中通知モード設定中の無線基地局からの他の呼出エリア内の移動先の無線基地局への移動中に、同無線端末への着信要求が発生し、同無線端末が移動元の無線基地局で圏内復帰した際の無線端末着呼処理に関わるＰＢＸ無線システム内部の処理動作を示す動作シーケンス図
【図１０】第１の実施の形態に関わる移動中通知モード設定中の無線基地局から他の呼出エリア内の無線基地局への移動中に、同無線端末への着信要求が発生し、同無線端末が無線圏外と判断された際の無線端末着呼処理に関わるＰＢＸ無線システム内部の処理動作を示す動作シーケンス図
【図１１】第１の実施の形態に関わる移動中通知モード設定中の無線基地局から他の呼出エリア内の無線基地局への移動中に、同無線端末への着信要求が発生し、同無線端末が圏内復帰する前に発信端末側の発信キャンセル操作を検出した際の無線端末着呼処理に関わるＰＢＸ無線システム内部の処理動作を示す動作シーケンス図
【図１２】第１の実施の形態に関わる圏外通知モード設定中の無線基地局から圏外への移動中に、同無線端末への着信要求が発生した際の無線端末着呼処理に関わるＰＢＸ無線システム内部の処理動作を示す動作シーケンス図
【図１３】第２の実施の形態を示すＳＩＰ無線システム内部の概略構成を示すブロック図
【図１４】第２の実施の形態に関わる無線基地局（ＩＰ無線基地局）内部の概略構成を示すブロック図
【図１５】第２の実施の形態に関わる移動中通知モード設定中の無線基地局からの他の呼出エリア内の移動先の無線基地局への移動中に、同無線端末への着信要求が発生し、同無線端末が移動先の無線基地局で圏内復帰した際の無線端末着呼処理に関わるＳＩＰ無線システム内部の処理動作を示す動作シーケンス図
【図１６】第２の実施の形態に関わる移動中通知モード設定中の無線基地局からの他の呼出エリア内の移動先の無線基地局への移動中に、同無線端末への着信要求が発生し、同無線端末が移動元の無線基地局で圏内復帰した際の無線端末着呼処理に関わるＳＩＰ無線システム内部の処理動作を示す動作シーケンス図
【図１７】第２の実施の形態に関わる移動中通知モード設定中の無線基地局から他の呼出エリア内の無線基地局への移動中に、同無線端末への着信要求が発生し、同無線端末が無線圏外と判断された際の無線端末着呼処理に関わるＳＩＰ無線システム内部の処理動作を示す動作シーケンス図
【図１８】第２の実施の形態に関わる移動中通知モード設定中の無線基地局から他の呼出エリア内の無線基地局への移動中に、同無線端末への着信要求が発生し、同無線端末が圏内復帰する前に発信端末側の発信キャンセル操作を検出した際の無線端末着呼処理に関わるＳＩＰ無線システム内部の処理動作を示す動作シーケンス図
【図１９】第２の実施の形態に関わる圏外通知モード設定中の無線基地局から圏外への移動中に、同無線端末への着信要求が発生した際の無線端末着呼処理に関わるＳＩＰ無線システム内部の処理動作を示す動作シーケンス図
【符号の説明】
【０２６６】
１  ＰＢＸ無線システム（無線システム）
１Ａ  ＳＩＰ無線システム（無線システム）
２  無線端末
３  無線基地局
３Ａ  無線基地局
３Ｂ  ＩＰ無線基地局（無線基地局）
５  ＰＢＸ（制御装置）
８  ＳＩＰプロキシサーバ（制御装置）
１２Ｂ  端末位置情報管理テーブル（位置情報管理手段）
２８  受信レベル判定部（削除要求通知手段）
２９  削除要求通知部（削除要求通知手段）
３４  運用モード設定部（運用モード設定手段）
３５  情報通知部（情報通知手段）
４１Ｂ  端末位置情報管理テーブル（位置情報管理手段）
５４  運用モード設定部（運用モード設定手段）
５５  情報通知部（情報通知手段）
【図１】
2009038698.tif 000003
【図２】
2009038698.tif 000004
【図３】
2009038698.tif 000005
【図４】
2009038698.tif 000006
【図５】
2009038698.tif 000007
【図６】
2009038698.tif 000008
【図７】
2009038698.tif 000009
【図８】
2009038698.tif 000010
【図９】
2009038698.tif 000011
【図１０】
2009038698.tif 000012
【図１１】
2009038698.tif 000013
【図１２】
2009038698.tif 000014
【図１３】
2009038698.tif 000015
【図１４】
2009038698.tif 000016
【図１５】
2009038698.tif 000017
【図１６】
2009038698.tif 000018
【図１７】
2009038698.tif 000019
【図１８】
2009038698.tif 000020
【図１９】
2009038698.tif 000021